(57)【特許請求の範囲】
【請求項１】
複数の端末装置のうちの他の端末装置へ情報を配布する各端末装置であって、
自装置から一次配布先である端末装置への情報の配布の禁止及び承認を示す一次配布条件を記憶している条件記憶手段と、
自装置の利用者の観点による一次配布先に対する信頼の程度を示す配布先信頼度を記憶している信頼度記憶手段と、
前記一次配布条件を用いて、前記一次配布先への前記情報の配布を行うか否かを判断する判断手段と、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、
生成した前記二次配布条件を一次配布先である端末装置へ送信する送信手段と
を備えること特徴とする端末装置。
【請求項２】
前記条件記憶手段に記憶されている前記一次配布条件は、一次配布先に対する信頼の程度により、前記情報の配布の禁止と承認との境界を定める信頼度閾値を含み、
前記生成手段は、前記信頼度閾値を前記配布先信頼度により除することにより、前記二次配布条件を算出する
ことを特徴とする請求項１に記載の端末装置。
【請求項３】
前記情報は、コンテンツであり、前記端末装置は、前記コンテンツを配布する
ことを特徴とする請求項１に記載の端末装置。
【請求項４】
前記情報は、サービスの利用に係る利用権であり、前記端末装置は、前記利用権を配布する
ことを特徴とする請求項１に記載の端末装置。
【請求項５】
前記サービスは、視聴、加工若しくは保存のためのコンテンツの提供であり、
前記利用権は、提供される前記コンテンツの視聴、加工若しくは保存を行う権利であり、
前記端末装置は、さらに、前記利用権に対応付けて前記コンテンツを配布する
ことを特徴とする請求項４に記載の端末装置。
【請求項６】
前記サービスは、コンピュータシステムにおけるコンピュータ資源の提供であり、
前記利用権は、前記コンピュータ資源の利用を行う権利である
ことを特徴とする請求項４に記載の端末装置。
【請求項７】
前記コンピュータ資源は、コンピュータ手段におけるコンピュータプログラムであり、
前記サービスは、前記コンピュータプログラムによる演算処理の提供であり、
前記利用権は、前記コンピュータプログラムの利用を行う権利である
ことを特徴とする請求項６に記載の端末装置。
【請求項８】
前記コンピュータ資源は、コンピュータシステムにおける記憶資源であり、
前記サービスは、前記記憶資源の提供であり、
前記利用権は、前記記憶資源の利用を行う権利である
ことを特徴とする請求項６に記載の端末装置。
【請求項９】
前記端末装置は、さらに、前記信頼度記憶手段に記憶されている前記配布先信頼度を更新する更新手段を含む
ことを特徴とする請求項１に記載の端末装置。
【請求項１０】
前記更新手段は、
前記一次配布先の端末装置が正当な機器であるか否かを判断する判断部と、
正当でないと判断する場合に、前記配布先信頼度を下げるように更新する信頼度更新部とを含む
ことを特徴とする請求項９に記載の端末装置。
【請求項１１】
前記更新手段は、
自装置と前記一次配布先の端末装置とがネットワークを介して接続されているか否かを判断する判断部と、
接続されていると判断する場合に、前記配布先信頼度を下げるように更新する信頼度更新部とを含む
ことを特徴とする請求項９に記載の端末装置。
【請求項１２】
前記更新手段は、
自装置と前記一次配布先の端末装置との間で直接通信するか否かを判断する判断部と、
直接通信すると判断する場合に、前記配布先信頼度を上げるように更新する信頼度更新部とを含む
ことを特徴とする請求項９に記載の端末装置。
【請求項１３】
前記条件記憶手段に記憶されている前記一次配布条件は、一次配布先に対する信頼の程度により、前記情報の配布の禁止と承認との境界を定める信頼度閾値を含み、
前記端末装置は、さらに、前記条件記憶手段に記憶されている前記一次配布条件に含まれる前記信頼度閾値を更新する更新手段を含む
ことを特徴とする請求項１に記載の端末装置。
【請求項１４】
前記更新手段は、
前記一次配布先の端末装置が正当な機器であるか否かを判断する判断部と、
正当でないと判断する場合に、前記信頼度閾値を上げるように更新する信頼度更新部とを含む
ことを特徴とする請求項１３に記載の端末装置。
【請求項１５】
前記更新手段は、
自装置と前記一次配布先の端末装置とがネットワークを介して接続されているか否かを判断する判断部と、
接続されていると判断する場合に、前記信頼度閾値を上げるように更新する信頼度更新部とを含む
ことを特徴とする請求項１３に記載の端末装置。
【請求項１６】
前記更新手段は、
自装置と前記一次配布先の端末装置との間で直接通信するか否かを判断する判断部と、
直接通信すると判断する場合に、前記信頼度閾値を下げるように更新する信頼度更新部とを含む
ことを特徴とする請求項１３に記載の端末装置。
【請求項１７】
前記端末装置は、さらに、
前記一次配布条件を受信する受信手段と、
受信した前記一次配布条件を前記条件記憶手段に書き込む書込手段と
を含むことを特徴とする請求項１に記載の端末装置。
【請求項１８】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項１に記載の端末装置。
【請求項１９】
請求項１の複数の端末装置のうちの他の端末装置へ情報を配布する各端末装置であって、
自装置から一次配布先である端末装置への情報の配布の禁止及び承認を示す一次配布条件を記憶している条件記憶手段と、
自装置の利用者の観点による一次配布先に対する信頼の程度を示す配布先信頼度を記憶している信頼度記憶手段と、
前記一次配布条件及び前記配布先信頼度を用いて、前記一次配布先への前記情報の配布を行うか否かを判断する判断手段と、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、
生成した前記二次配布条件を一次配布先である端末装置へ送信する送信手段と
を備えること特徴とする端末装置。
【請求項２０】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項１９に記載の端末装置。
【請求項２１】
複数の端末装置のうちの他の端末装置へ情報を配布する各端末装置であって、
自装置から一次配布先である端末装置への前記情報の配布の禁止及び承認を示す一次配布条件を記憶している条件記憶手段と、
自装置の利用者の観点による一次配布先に対する信頼の程度を示す配布先信頼度を記憶している信頼度記憶手段と、
前記一次配布条件を基準とする前記配布先信頼度に対する演算により、一次配布先である端末装置から二次配布先である端末装置への前記情報の配布の禁止及び承認を示す二次配布条件を生成する生成手段と、
生成した二次配布条件を用いて、当該二次配布条件の配布をするか否かを判断する判断手段と、
配布すると判断される場合に、生成した前記二次配布条件を一次配布先である端末装置へ送信する送信手段と
を備えること特徴とする端末装置。
【請求項２２】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項２１に記載の端末装置。
【請求項２３】
複数の端末装置のうちの他の端末装置へ情報を配布する各端末装置で用いられる情報流通方法であって、
前記端末装置は、
自装置から一次配布先である端末装置への情報の配布の禁止及び承認を示す一次配布条件を記憶している条件記憶手段と、
自装置の利用者の観点による一次配布先に対する信頼の程度を示す配布先信頼度を記憶している信頼度記憶手段とを備え、
前記情報流通方法は、
前記一次配布条件を用いて、前記一次配布先への前記情報の配布を行うか否かを判断する判断ステップと、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成ステップと、
生成した前記二次配布条件を一次配布先である端末装置へ送信する送信ステップと
を備えること特徴とする情報流通方法。
【請求項２４】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項２３に記載の情報流通方法。
【請求項２５】
複数の端末装置のうちの他の端末装置へ情報を配布する各端末装置で用いられる情報流通用のコンピュータプログラムであって、
前記端末装置は、
自装置から一次配布先である端末装置への情報の配布の禁止及び承認を示す一次配布条件を記憶している条件記憶手段と、
自装置の利用者の観点による一次配布先に対する信頼の程度を示す配布先信頼度を記憶している信頼度記憶手段とを備え、
前記コンピュータプログラムは、
前記一次配布条件を用いて、前記一次配布先への前記情報の配布を行うか否かを判断する判断ステップと、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成ステップと、
生成した前記二次配布条件を一次配布先である端末装置へ送信する送信ステップと
を備えること特徴とするコンピュータプログラム。
【請求項２６】
前記コンピュータプログラムは、コンピュータ読み取り可能な記録媒体に記録されていることを特徴とする請求項２５に記載のコンピュータプログラム。
【請求項２７】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項２５に記載のコンピュータプログラム。
【請求項２８】
複数の端末装置のうちの他の端末装置へ情報を配布する各端末装置の集積回路であって、
自装置から一次配布先である端末装置への情報の配布の禁止及び承認を示す一次配布条件を記憶している条件記憶手段と、
自装置の利用者の観点による一次配布先に対する信頼の程度を示す配布先信頼度を記憶している信頼度記憶手段と、
前記一次配布条件を用いて、前記一次配布先への前記情報の配布を行うか否かを判断する判断手段と、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、
生成した前記二次配布条件を一次配布先である端末装置へ送信する送信手段と
を備えること特徴とする集積回路。
【請求項２９】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項２８に記載の集積回路。
【請求項３０】
複数の端末装置から構成される情報流通システムであって、
複数の端末装置のうちの他の端末装置へ情報を配布する各端末装置は、
自装置から一次配布先である端末装置への前記情報の配布の禁止及び承認を示す一次配布条件を記憶している条件記憶手段と、
自装置の利用者の観点による一次配布先に対する信頼の程度を示す配布先信頼度を記憶している信頼度記憶手段と、
前記一次配布条件を用いて、前記一次配布先への前記情報の配布を行うか否かを判断する判断手段と、
前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、
生成した前記二次配布条件を一次配布先である端末装置へ送信する送信手段と
を備えること特徴とする情報流通システム。
【請求項３１】
前記配布先信頼度とは、前記端末装置の配布元ユーザが前記端末装置へ直接入力されるものであって、一次配布先である端末装置の利用者に対する前記配布元ユーザの主観により定められるものである
ことを特徴とする請求項３０に記載の情報流通システム。
【発明の詳細な説明】
【技術分野】
【０００１】
本発明は、ネットワーク等を介した情報の流通を制御する技術に関する。
【背景技術】
【０００２】
近年、デジタルカメラやカメラ付き携帯電話等の普及により、個人ユーザが静止画や動画等のデジタルコンテンツを容易に生成出来るようになってきており、個人ユーザにより生成されたデジタルコンテンツである個人コンテンツを、デジタルテレビやハイブリッドレコーダ、携帯機器等に転送して、視聴出来る環境が整いつつある。これに伴い、家族や友達と個人コンテンツを交換し合う機会が増えてきており、今後、個人コンテンツの流通が活発に行われるようになると予想される。
【０００３】
個人コンテンツの流通システムの一例として、例えば非特許文献１に、ピアツーピア型のファイル交換システムが開示されている。このファイル交換システムでは、ネットワーク上のユーザが相互に個人コンテンツを交換し合う。このファイル交換システムにおいて、個人コンテンツを要求するユーザは、自己が所有する端末を利用して、個人コンテンツを所有するユーザの端末に対し、欲しい個人コンテンツを指定し、ネットワークを介して個人コンテンツをダウンロードする。ピアツーピア型のファイル交換システムでは、個人コンテンツを受け取ったユーザは、また別のユーザに自由に再配布（二次配布）出来る。こうして、個人コンテンツが活発に流通する。
【０００４】
しかし、一旦、個人コンテンツをこのようなネットワークへ出力してしまうと、その後、個人コンテンツの利用に制約を加えようとしても困難である。
この問題を解決するために、特許文献１は、コンテンツ著作者、コンテンツ提供者等の利益を確保することを目的として、コンテンツのユーザデバイス間での販売条件を設定した販売条件情報（ＵＣＰ）を持つセキュアコンテナを構成し、ＵＣＰはユーザデバイス間の並列的なコンテンツ流通回数の上限情報としてＵＣＰ二次配信可能回数情報を持ち、コンテナを購入するユーザデバイスは、コンテンツ流通回数を設定したＵＣＳ二次配信可能回数情報を含む使用制御情報（ＵＣＳ）を生成してメモリに格納し、コンテンツ二次配信時に、ＵＣＳ二次配信可能回数情報の条件確認処理を実行して、条件範囲内であるときのみコンテンツ配信を可能として、流通回数が上限を超えた場合のコンテンツ配布を不可能とする技術を開示している。
【非特許文献１】伊藤直樹著「Ｐ２Ｐコンピューティング−技術解説とアプリケーション」、ソフトリサーチセンター出版、２００１年１２月
【特許文献１】特開２００１−２５６４１３号公報
【発明の開示】
【発明が解決しようとする課題】
【０００５】
しかしながら、特許文献１により開示された技術によると、個人コンテンツの二次配信を制御することができるものの、流通回数が上限を超えた場合にコンテンツの配布を不可能としているので、供給者が希望しない二次配布先へ個人コンテンツが供給されたり、逆に、供給者が希望する二次配布先へ個人コンテンツが供給されないことがあり、二次配布先への配布を制御できないという問題点がある。
【０００６】
本発明は、上記の問題点を解決するため、情報を他の端末装置へ配布する場合に、一次配布先から二次配布先への前記情報の配布を制御することができる情報流通システム、端末装置、方法及びコンピュータプログラムを提供することを目的とする。
【課題を解決するための手段】
【０００７】
上記目的を達成するために、本発明は、複数の端末装置のうちの他の端末装置へ情報を配布する各端末装置であって、自装置から一次配布先である端末装置への情報の配布の禁止及び承認を示す一次配布条件を記憶している条件記憶手段と、自装置の利用者の観点による一次配布先に対する信頼の程度を示す配布先信頼度を記憶している信頼度記憶手段と、前記一次配布条件を用いて、前記一次配布先への前記情報の配布を行うか否かを判断する判断手段と、前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、生成した前記二次配布条件を一次配布先である端末装置へ送信する送信手段とを備えること特徴とする。
【発明の効果】
【０００８】
この構成によると、一次配布条件を基準とする前記配布先信頼度に対する演算により、一次配布先から二次配布先への前記情報の配布の禁止及び承認を示す二次配布条件を生成し、一次配布先である端末装置へ送信するので、一次配布先である前記端末装置は、二次配布条件を用いて、配布をするか否かを判断することができる。こうして、第１の供給者は、二次配布をコントロールすることができる。
【０００９】
ここで、前記条件記憶手段に記憶されている前記一次配布条件は、一次配布先に対する信頼の程度により、前記情報の配布の禁止と承認との境界を定める信頼度閾値を含み、前記生成手段は、前記配布先信頼度を前記信頼度閾値により除することにより、前記二次配布条件を算出するとしてもよい。
この構成によると、配布先信頼度を信頼度閾値により除することにより、確実に、二次配布条件を生成することができる。
【００１０】
ここで、前記情報は、コンテンツであり、前記端末装置は、前記コンテンツを配布するとしてもよい。
この構成によると、コンテンツの配布において、二次配布を制御することができる。
ここで、前記情報は、サービスの利用に係る利用権であり、前記端末装置は、前記利用権を配布するとしてもよい。
【００１１】
この構成によると、サービスの利用に係る利用権の配布において、二次配布を制御することができる。
ここで、前記サービスは、視聴、加工若しくは保存のためのコンテンツの提供であり、前記利用権は、提供される前記コンテンツの視聴、加工若しくは保存を行う権利であり、前記端末装置は、さらに、前記利用権に対応付けて前記コンテンツを配布するとしてもよい。
【００１２】
この構成によると、提供されるコンテンツの視聴、加工若しくは保存を行う利用権の配布において、二次配布を制御することができる。
ここで、前記サービスは、コンピュータシステムにおけるコンピュータ資源の提供であり、前記利用権は、前記コンピュータ資源の利用を行う権利であるとしてもよい。また、前記コンピュータ資源は、コンピュータ手段におけるコンピュータプログラムであり、前記サービスは、前記コンピュータプログラムによる演算処理の提供であり、前記利用権は、前記コンピュータプログラムの利用を行う権利であるとしてもよいし、前記コンピュータ資源は、コンピュータシステムにおける記憶資源であり、前記サービスは、前記記憶資源の提供であり、前記利用権は、前記記憶資源の利用を行う権利であるとしてもよい。
【００１３】
これら構成によると、コンテンツ資源の提供において、コンピュータプログラムの利用の提供において、またコンピュータの記憶資源の利用の提供において、二次配布を制御することができる。
ここで、前記端末装置は、さらに、前記信頼度記憶手段に記憶されている前記配布先信頼度を更新する更新手段を含み、前記更新手段は、前記一次配布先の端末装置が正当な機器であるか否かを判断する判断部と、正当でないと判断する場合に、前記配布先信頼度を下げるように更新する信頼度更新部とを含むとしてもよい。
【００１４】
この構成によると、一次配布先の端末装置が正当な機器でない場合には、配布先信頼度を下げるように更新するので、一次配布先の端末装置に対応した適切な配布先信頼度を保持することができる。
ここで、前記端末装置は、さらに、前記信頼度記憶手段に記憶されている前記配布先信頼度を更新する更新手段を含み、前記更新手段は、自装置と前記一次配布先の端末装置とがネットワークを介して接続されているか否かを判断する判断部と、接続されていると判断する場合に、前記配布先信頼度を下げるように更新する信頼度更新部とを含むとしてもよい。
【００１５】
この構成によると、前記一次配布先の端末装置とがネットワークを介して接続されている場合には、配布先信頼度を下げるように更新するので、一次配布先の端末装置に対応した適切な配布先信頼度を保持することができる。
ここで、前記端末装置は、さらに、前記信頼度記憶手段に記憶されている前記配布先信頼度を更新する更新手段を含み、前記更新手段は、自装置と前記一次配布先の端末装置との間で直接通信するか否かを判断する判断部と、直接通信すると判断する場合に、前記配布先信頼度を上げるように更新する信頼度更新部とを含むとしてもよい。
【００１６】
この構成によると、前記一次配布先の端末装置と直接通信する場合には、配布先信頼度を上げるように更新するので、一次配布先の端末装置に対応した適切な配布先信頼度を保持することができる。
ここで、前記条件記憶手段に記憶されている前記一次配布条件は、一次配布先に対する信頼の程度により、前記情報の配布の禁止と承認との境界を定める信頼度閾値を含み、前記端末装置は、さらに、前記条件記憶手段に記憶されている前記一次配布条件に含まれる前記信頼度閾値を更新する更新手段を含み、前記更新手段は、前記一次配布先の端末装置が正当な機器であるか否かを判断する判断部と、正当でないと判断する場合に、前記信頼度閾値を上げるように更新する信頼度更新部とを含むとしてもよい。
【００１７】
この構成によると、前記一次配布先の端末装置が正当な機器でない場合には、信頼度閾値を上げるように更新するので、一次配布先の端末装置に対応した適切な信頼度閾値を保持することができる。
ここで、前記条件記憶手段に記憶されている前記一次配布条件は、一次配布先に対する信頼の程度により、前記情報の配布の禁止と承認との境界を定める信頼度閾値を含み、前記端末装置は、さらに、前記条件記憶手段に記憶されている前記一次配布条件に含まれる前記信頼度閾値を更新する更新手段を含み、前記更新手段は、自装置と前記一次配布先の端末装置とがネットワークを介して接続されているか否かを判断する判断部と、接続されていると判断する場合に、前記信頼度閾値を上げるように更新する信頼度更新部とを含むとしてもよい。
【００１８】
この構成によると、前記一次配布先がネットワークを介して接続されている場合には、信頼度閾値を上げるように更新するので、一次配布先の端末装置に対応した適切な信頼度閾値を保持することができる。
ここで、前記条件記憶手段に記憶されている前記一次配布条件は、一次配布先に対する信頼の程度により、前記情報の配布の禁止と承認との境界を定める信頼度閾値を含み、前記端末装置は、さらに、前記条件記憶手段に記憶されている前記一次配布条件に含まれる前記信頼度閾値を更新する更新手段を含み、前記更新手段は、自装置と前記一次配布先の端末装置との間で直接通信するか否かを判断する判断部と、直接通信すると判断する場合に、前記信頼度閾値を下げるように更新する信頼度更新部とを含むとしてもよい。
【００１９】
この構成によると、前記一次配布先の端末装置と直接通信する場合には、信頼度閾値を下げるように更新するので、一次配布先の端末装置に対応した適切な信頼度閾値を保持することができる。
ここで、本発明は、複数の端末装置のうちの他の端末装置へ情報を配布する各端末装置であって、自装置から一次配布先である端末装置への情報の配布の禁止及び承認を示す一次配布条件を記憶している条件記憶手段と、自装置の利用者の観点による一次配布先に対する信頼の程度を示す配布先信頼度を記憶している信頼度記憶手段と、前記一次配布条件及び前記配布先信頼度を用いて、前記一次配布先への前記情報の配布を行うか否かを判断する判断手段と、前記情報の配布を行うと判断される場合に、前記一次配布条件を基準とする前記配布先信頼度に対する演算により、一次配布先である端末装置から二次配布先である端末装置への前記情報の配布の禁止及び承認を示す二次配布条件を生成する生成手段と、生成した前記二次配布条件を一次配布先である端末装置へ送信する送信手段とを備えること特徴とする。
【００２０】
この構成によると、一次配布条件を基準とする前記配布先信頼度に対する演算により、一次配布先から二次配布先への前記情報の配布の禁止及び承認を示す二次配布条件を生成し、一次配布先である端末装置へ送信するので、一次配布先である前記端末装置は、二次配布条件を用いて、配布をするか否かを判断することができる。こうして、第１の供給者は、二次配布をコントロールすることができる。
【発明を実施するための最良の形態】
【００２１】
１．第１の実施の形態
１．１  情報流通システム１の概要
以下では、図１を参照にしながら、第１の実施の形態に係る情報流通システム１について説明する。
情報流通システム１は、携帯端末１０と携帯端末２１、２２、２３、３２、３４、３７、４３、４５及び４８と、ＰＣ端末２４、３１、３３、３５、３６、４１、４２、４４、４６及び４７から構成されている。
【００２２】
各携帯端末間は、通信回線網を介して通信を行う。
携帯端末１０とＰＣ端末２４は、メモリカード５０を介して情報の授受を行う。また、携帯端末２２と、ＰＣ端末３１及び３３とはインターネットを介して通信を行う。
また、携帯端末２３と、ＰＣ端末３５及び３６はインターネットを介して通信を行う。
ＰＣ端末３１とＰＣ端末４１、携帯端末３２とＰＣ端末４２、ＰＣ端末３３と携帯端末４３、ＰＣ端末３５とＰＣ端末４６、ＰＣ端末３６とＰＣ端末４７及び携帯端末４８、ＰＣ端末２４と携帯端末３７は、それぞれインターネットを介して通信を行う。
【００２３】
また、以降では、携帯端末とＰＣ端末とを区別する必要がない場合には、総称して、ユーザ端末という。
携帯端末１０は、携帯端末２１、２２及び２３のそれぞれに対する信頼度と、自装置が記憶しているコンテンツデータの配信に係る閾値とを有している。携帯端末１０は、自装置が有しているコンテンツデータを、例えば、携帯端末２１へ配信する場合、携帯端末２１に対する信頼度と、配信対象のコンテンツデータに対する閾値とを用いて、配信対象のコンテンツデータを二次配布する際における閾値を計算する。携帯端末１０は、計算された閾値とコンテンツデータとを携帯端末２１へ配信する。
【００２４】
また、他のユーザ端末も同様に、コンテンツを配信する際には、二次配布に係る閾値を計算し、計算された閾値とコンテンツデータとを配信する。
ここで、二次配布とは、あるユーザ端末から配信されたコンテンツを、他のユーザ端末へ配信することをいう。
また、信頼度は、自装置の利用者の観点による一次配布先に対する信頼の程度を示す。
【００２５】
ここで、コンテンツデータは、例えば、ＪＰＥＧ形式の画像データ、ＭＰＥＧ形式の動画像、及び文字データである。
１．２  携帯端末１０の構成
以下で、図２を参照しながら、携帯端末１０の構成について説明する。
携帯端末１０は、入力部１０１、表示部１０２、カメラ１０３、スピーカ１０４、マイク１０５、映像制御部１０６、コンテンツ取得部１０７、記憶部１０８、データ加工部１１０、配信データ生成部１１１、配信コンテンツ選択部１１２、配信条件設定部１１３、他端末情報設定部１１４、処理選択部１１５、配信先選択部１１６、受信処理部１１７、配信処理部１１８、通信部１１９、制御部１２０、アンテナ１２１及びメモリカード５０から構成されている。
【００２６】
携帯端末１０は、具体的には、マイクロプロセッサ、ＲＯＭ、ＲＡＭ、ハードディスクユニット、ディスプレィユニット、キーボードなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、携帯端末１０は、その機能を達成する。ここで、コンピュータプログラムは、所定の機能を達成するために、コンピュータに対する指令を示す命令コードが複数個組み合わされて構成されたものである。
【００２７】
なお、制御部１２０及び入力部１０１と、他の構成要素との接続関係については、図面上、煩雑になるので、接続線は省略している。
（１）記憶部１０８
記憶部１０８は、記憶装置（例えば、ハードディスク）であって、図３に示されているように自端末情報１３０、他端末情報テーブル１３１、コンテンツ情報１３２及びコンテンツ閾値データテーブル１３９から構成されている。
【００２８】
（自端末情報１３０）
自端末情報１３０には、自ユーザ端末を特定する識別子である自端末ＩＤ１４０が登録されている。
例えば、図３において携帯端末１０の自端末ＩＤ１４０は、“１０００”であることを表している。
【００２９】
（他端末情報テーブル１３１）
他端末情報テーブル１３１は、図４に示すように、他端末ＩＤ、名前、配信先情報及び信頼度からなる他端末情報を１以上記憶するための領域を有している。他端末ＩＤは、他のユーザ端末を識別する識別子であり、名前は、他端末ＩＤに対応するユーザ端末の所有者を示し、配信先情報は、そのユーザへコンテンツを配信する際の宛先（ここでは、メールアドレス）を示す。信頼度は、他端末ＩＤに対応するユーザ端末の所有者への信頼を示す数値である。信頼度は、０以上１以下の数値にて示され、０が最も信頼度が低く、１が最も信頼度が高いことを表す。
【００３０】
例えば、図４の他端末情報テーブル１３１において、他端末情報１４１は他端末ＩＤが“２２００”、名前が“花子”、配信先情報が“Ｈａｎａ＠ａａａ．ｂｂｂ．ｃｃｃ”であり、花子に対する信頼度を表す数値が“０．９”であることを表している。
また、他端末情報１４２は、端末ＩＤが“２３００”、名前が“次郎”、配信先情報が“Ｚｉｒｏ＠ａａａ．ｂｂｂ．ｃｃｃ”であり、次郎に対する信頼度が“０．８”であることを示しており、他端末情報１４３は、端末ＩＤが“２１００”、名前が“太郎”、配信先情報が“Ｔａｒｏ＠ａａａ．ｂｂｂ．ｃｃｃ”、次郎対する信頼度が“０．１”であることを示している。
【００３１】
（コンテンツ情報１３２）
コンテンツ情報１３２は、コンテンツＩＤとコンテンツデータとからなる組１以上記憶するための領域を有している。
コンテンツデータは、例えば、静止画像データや、動画像データ、及び文字データなどである。
【００３２】
コンテンツＩＤは、端末ＩＤとコンテンツデータの生成時に発行されるシリアル番号とからなる。端末ＩＤは、自端末ＩＤ及び他端末ＩＤの何れかである。
例えば、図３では、コンテンツＩＤ“１０００−１００”１３６とコンテンツデータ１３３とが、対応付けられている。
（コンテンツ閾値データテーブル１３９）
コンテンツ閾値データテーブル１３９は、図５に示すように、コンテンツＩＤ、配布可能信頼度閾値、保存可能信頼度閾値、オリジナル画像表示可能信頼度閾値、編集可能信頼度閾値、カラー表示可能信頼度閾値及び配布可能許可世代数からなるコンテンツ閾値データを１以上記憶するための領域を有している。
【００３３】
コンテンツＩＤは、コンテンツデータと同様の識別子であり、コンテンツ閾値データとコンテンツデータとの対応付けがなされる。
配布可能信頼度閾値は、コンテンツが配布可能である下限を表す数値である。配布可能信頼度閾値に値“９９”が設定されている場合には、そのコンテンツＩＤに対応するコンテンツデータは、他のユーザ端末には配信できないことを示す。
【００３４】
保存可能信頼度閾値は、他のユーザ端末へ配信したコンテンツデータの保存を許可する信頼度の下限である。
オリジナル画像信頼度閾値は、他のユーザ端末へ配信したコンテンツデータのフルサイズの表示を許可する下限の信頼度のことである。フルサイズの表示が許可されない場合には、縮小表示される。  
【００３５】
編集許可信頼度閾値は、他のユーザ端末が受信したコンテンツデータの編集を許可する信頼度の下限を示しており、この数値を下回る場合には、コンテンツデータの編集はできない。
カラー表示信頼度閾値は、他のユーザ端末へ配信したコンテンツデータ表示に対してカラー表示できる信頼度の下限を表しており、この数値を下回る場合には、２値画像処理されたものが表示される。
【００３６】
配布許可世代数は、コンテンツデータを生成したユーザ端末を１世代目とし、そのユーザ端末から数えて、コンテンツデータの配信が可能な回数を表している。
これらの閾値は、０以上１以下の数字で表され、数値が高い程信頼度が高い。また、“９９”は表示、保存、配布、編集不可能を表し、“−９９”は未設定であることを表す。
ここで、配布可能信頼度閾値は、一次配布先に対する信頼の程度により、情報（例えば、コンテンツ）の配布の禁止と承認との境界を定める値である。
【００３７】
例えば、コンテンツ閾値データ１４４は、コンテンツＩＤが“１０００−１００”、配布可能信頼度閾値が“０．３”、保存可能信頼度閾値が“９９”、オリジナル画像表示可能信頼度閾値“０．４”、編集可能信頼度閾値“−９９”、カラー表示可能信頼度閾値“０．４”、配布可能許可世代数が“３”であることを示し、コンテンツ閾値データ１４５はコンテンツＩＤが“２１００−２００”、配布可能信頼度閾値が“０．８”、保存可能信頼度閾値が“９９”、オリジナル画像表示可能信頼度閾値“０．８”、編集可能信頼度閾値“９９”、カラー表示可能信頼度閾値“０．８”、配布可能許可世代数が“１”であることを示している。
【００３８】
また、コンテンツ閾値データ１４６はコンテンツＩＤが“２３００−３００”、配布可能信頼度閾値が“９９”、保存可能信頼度閾値が“９９”、オリジナル画像表示可能信頼度閾値“９９”、編集可能信頼度閾値“９９”、カラー表示可能信頼度閾値“９９”、配布可能許可世代数が“１”であることを表している。
コンテンツ閾値データ１４７はコンテンツＩＤが“１０００−４００”、配布可能信頼度閾値が“０．３”、保存可能信頼度閾値が“０．５”、オリジナル画像表示可能信頼度閾値“０．４”、編集可能信頼度閾値“０．７”、カラー表示可能信頼度閾値“０．４”、配布可能許可世代数が“５”であることを表している。
【００３９】
（２）処理選択部１１５
処理選択部１１５は、制御部１２０からメニュー選択画面表示命令を受け取ると、表示部１０２に、図６にて示すメニュー選択画面１４８を表示させる。
また、処理選択部１１５は、制御部１２０からメニュー終了画面表示命令を受け取ると、表示部１０２に、図７にて示すメニュー終了画面１５０を表示させ、入力部１０１を介して、ユーザからの入力を受け付ける。
【００４０】
例えば、図６において、処理選択部１１５は、制御部１２０からメニュー選択画面表示命令を受け取ることにより、表示部１０２にメニュー選択画面１４８を表示させる。このとき、制御部１２０では、入力部１０１を介して、他端末情報設定、コンテンツデータ生成及びコンテンツ処理の中から何れか一つの選択を受け付ける。
また、図７において、処理選択部１１５は、制御部１２０からメニュー終了画面表示命令を受け取ることにより、メニュー終了画面１５０を表示部１０２に表示させ、入力部１０１を介して、ユーザからの終了又は続行の選択を受け付ける。終了ボタン１５１が選択された場合、処理選択部１１５はメニュー選択を終了し、続行ボタン１５２が選択された場合には、図６におけるメニュー選択画面１４８を表示部１０２に再び表示させる。
【００４１】
（３）他端末情報設定部１１４
他端末情報設定部１１４は、制御部１２０から他端末情報の設定指示を示す設定命令を受け取ると、他端末情報の登録・更新するための他端末情報入力画面１５３を表示部１０２に表示させる。ここで、図８にて他端末情報入力画面１５３の一例を示す。他端末情報入力画面１５３は、他端末情報を入力するための領域である名前１５４、端末ＩＤ１５５、配信先情報１５６、及び信頼度１５７と、登録ボタン１５８及びキャンセルボタン１５９とから構成される。名前１５４は、登録する他端末のユーザの名前を入力する領域であり、端末ＩＤ１５５は他端末ＩＤを入力する領域であり、配信先情報は、宛先（例えば、メールアドレス）を入力する領域であり、信頼度は、他端末ＩＤに対応するユーザ端末の所有者への信頼度を入力する領域である。登録ボタン１５８は、入力した各情報を登録する場合に、ユーザによって選択されるボタンであり、キャンセルボタン１５９は、入力した各情報の登録を中止する場合に、ユーザによって選択されるボタンである。
【００４２】
他端末情報入力画面１５３において、他端末情報設定部１１４は、ユーザによって入力された他端末情報（他端末ＩＤ、名前、配信先情報及び信頼度）を、入力部１０１を介して、受け取る。他端末情報設定部１１４は、受け付けた他端末情報を一時的に記憶する。
他端末情報入力画面１５３において登録ボタン１５８が選択された場合には、他端末情報設定部１１４は、ユーザによって入力された他端末情報の登録を指示する旨の情報登録命令を、入力部１０１から受け取る。
【００４３】
他端末情報設定部１１４は、受け取った他端末情報を、記憶部１０８の他端末情報テーブル１３１に書き込み、他端末情報設定の処理が終了した旨を示す設定終了命令を制御部１２０へ出力する。
他端末情報入力画面１５３においてキャンセルボタン１５９が選択された場合には、他端末情報設定部１１４は、入力部１０１から登録をキャンセルする旨の情報キャンセル命令を受け取り、ユーザにより入力された他端末情報を破棄し、再度、他端末情報入力画面１５３を表示部１０２に表示させる。
【００４４】
例えば、図６におけるメニュー選択画面１４８で、“他端末情報設定”が選択されると、図８に示す他端末情報入力画面１５３を表示部１０２に表示させる。
他端末情報入力画面１５３において、名前１５４に“太郎”、端末ＩＤ１５５に“２１００”、配信先情報１５６に“Ｔａｒｏ＠ａａａ．ｂｂｂ．ｃｃｃ”、信頼度１５７に“０．１”とが入力され、その後、登録ボタンが選択されると、他端末情報設定部１１４は、名前“太郎”、端末ＩＤ“２１００”、配信先情報“Ｔａｒｏ＠ａａａ．ｂｂｂ．ｃｃｃ”、信頼度“０．１”とからなる他端末情報を、記憶部１０８の他端末情報テーブル１３１に書き込む。
【００４５】
また、ユーザは登録ボタン１５８の代わりにキャンセルボタン１５９を選択する事で、入力のやり直しが可能となる。
（４）コンテンツ取得部１０７
コンテンツ取得部１０７は、制御部１２０からコンテンツデータの生成を示す生成命令を受け取ると、図９に示すコンテンツデータ生成画面１６０を、表示部１０２に表示させる。コンテンツ取得部１０７は、コンテンツデータ生成画面１６０により選択された選択内容に基づいて、コンテンツデータを生成又は取得する。コンテンツ取得部１０７は、自端末ＩＤを記憶部１０８から読み出し、さらに、シリアル番号を生成する。コンテンツ取得部１０７は、読み出した自端末ＩＤと生成したシリアル番号とを用いて、コンテンツＩＤを生成し、生成又は取得したコンテンツデータと、生成したコンテンツＩＤとを対応付けて、記憶部１０８のコンテンツ情報１３２に書き込む。
【００４６】
コンテンツ取得部１０７は、コンテンツデータ生成の処理が終了した旨を示す生成終了命令を制御部１２０へ出力する。
ここで、コンテンツ取得部１０７は、選択内容として、“カメラによる生成”を受け付けると、カメラ１０３にて撮影された画像をコンテンツデータとして、映像制御部１０６を介して受け取り、以降、コンテンツＩＤの生成、及び受け取ったコンテンツデータと生成したコンテンツＩＤとをコンテンツ情報１３２へ書き込む。
【００４７】
また、コンテンツ取得部１０７は、選択内容として、“文字入力による生成”を受け付けると、入力部１０１により受け付けた文字データをコンテンツデータとして、受け取り、以降、上記と同様の動作を行う。
また、コンテンツ取得部１０７は、選択内容として、“メモリカードからの読取”を受け付けると、メモリカード５０からコンテンツデータを読み出し、以降、上記と同様の動作を行う。
【００４８】
例えば、ユーザは図６のメニュー選択画面１４８で、“コンテンツデータ生成”を選択し、選択ボタン１４９を押すことで、コンテンツ取得部１０７は、表示部１０２に図９にあるコンテンツデータ生成画面１６０を表示する。
コンテンツデータ生成画面１６０では、メニューとして、“カメラによる生成”、“メモリカードからの読取”及び“文字入力による生成”を表示し、入力部１０１を介して、ユーザからのコンテンツ生成方法の選択を受け付け、ユーザは選択ボタン１６１により選択を受け付ける。以降は、受け付けた選択内容に基づいて、コンテンツデータ及びコンテンツＩＤを生成し、生成したコンテンツデータ及びコンテンツＩＤを記憶部１０８のコンテンツ情報１３２に書き込む。
【００４９】
（５）配信コンテンツ選択部１１２
配信コンテンツ選択部１１２は、制御部１２０からコンテンツデータに係る処理の選択を示す選択命令を受け取ると、記憶部１０８のコンテンツ情報１３２に記憶している各コンテンツデータのうち１のコンテンツデータが選択されるまで、コンテンツ情報１３２からコンテンツＩＤ及びこれに対応するコンテンツデータの組を、１組ごと読み出す。
【００５０】
配信コンテンツ選択部１１２は、読み出したコンテンツＩＤに対応する配布可能信頼度閾値をコンテンツ閾値データから取得し、取得した配布可能閾値に基づいて、読み出したコンテンツデータ及びコンテンツＩＤを含むコンテンツ選択画面を、表示部１０２に表示させる。コンテンツ選択画面は、コンテンツデータと、コンテンツＩＤと、選択ボタン又は選択不可表示と、前ボタンと、次ボタンとから構成される。選択ボタンは、表示されているコンテンツデータに対する配布可能信頼度閾値が０以上１以下の場合に表示され、選択不可表示は、表示されているコンテンツデータに対する配布可能信頼度閾値が９９の場合に表示される。なお、表示されるコンテンツデータは、映像制御部１０６にて伸張されたコンテンツデータである。また、コンテンツ選択画面の前ボタンは、読み出したコンテンツデータが１件目である場合には、表示されない。コンテンツ選択画面の次ボタンは、読み出したコンテンツデータが最後である場合には、表示されない。
【００５１】
配信コンテンツ選択部１１２は、コンテンツ選択画面において前ボタンが選択されたことを示す前移動命令を入力部１０１から受け取ると、１つ前のコンテンツデータ及びコンテンツＩＤをコンテンツ情報１３２から読み出し、読み出したコンテンツデータ及びコンテンツＩＤを含むコンテンツ選択画面を、表示部１０２に表示させる。配信コンテンツ選択部１１２は、コンテンツ選択画面において次ボタンが選択されたことを示す次移動命令を入力部１０１から受け取ると、次のコンテンツデータ及びコンテンツＩＤをコンテンツ情報１３２から読み出し、読み出したコンテンツデータ及びコンテンツＩＤを含むコンテンツ選択画面を、表示部１０２に表示させる。
【００５２】
配信コンテンツ選択部１１２は、コンテンツ選択画面において選択ボタンが選択されたことを示す選択決定命令を、入力部１０１から受け取ると、現在表示しているコンテンツデータ及びコンテンツＩＤを含む送信・保存・設定選択画面を、表示部１０２に表示させる。送信・保存・設定選択画面は、選択されたコンテンツデータ、コンテンツＩＤ、送信ボタン、保存ボタン及び設定ボタンから構成されている。
【００５３】
送信ボタンがユーザにより押下されると、配信コンテンツ選択部１１２は、入力部１０１から、送信ボタンが押下されたことを示す送信選択命令を受け取り、その後、配信先選択部１１６へ、配信先の設定を開始することを示す配信先設定命令を送る。また、配信コンテンツ選択部１１２は、データ加工部１１０及び配信データ生成部１１１へ、ユーザにより選択されたコンテンツＩＤを出力する。
【００５４】
保存ボタンがユーザにより押下されると、配信コンテンツ選択部１１２は、入力部１０１から、保存ボタンが押下されたことを示す保存選択命令を受け取り、その後、ユーザにより選択されたコンテンツＩＤと、コンテンツデータに係る保存用のデータである保存時生成データの生成を行うことを示す保存データ生成命令とを配信データ生成部１１１へ出力する。なお、保存時生成データの詳細については後述する。
【００５５】
設定ボタンがユーザにより押下されると、配信コンテンツ選択部１１２は、入力部１０１から、設定ボタンが押下されたことを示す設定選択命令を受け取り、その後、ユーザにより選択されたコンテンツＩＤと、コンテンツ閾値データの生成を指示する閾値データ生成命令とを配信条件設定部１１３へ出力する。
図１０は、コンテンツ選択画面から送信・保存・設定選択画面への遷移の一例を示す。
【００５６】
以下にその遷移について説明する。
例えば、図６において、メニュー選択画面１４８でコンテンツ処理が選択されると、配信コンテンツ選択部１１２は、記憶部１０８よりコンテンツＩＤ“１０００−１００”を取得し、コンテンツＩＤ“１０００−１００”に対応するコンテンツデータを映像制御部１０６で伸張させ、伸張させたコンテンツデータを含むコンテンツ選択画面２０１を表示部１０２に表示させる。なお、ここでは、読み出したコンテンツデータが１件目であるので、前ボタンは表示されない。
【００５７】
コンテンツ選択画面２０１において、コンテンツデータ２０２を選択する場合は選択ボタン２０３を選択し、選択しない場合は次ボタン２０４を選択する。
次ボタン２０４が選択されると、配信コンテンツ選択部１１２は記憶部１０８から次のコンテンツＩＤ“２１００−２００”を取得し、このＩＤに対応するコンテンツデータを映像制御部１０６で伸張させ、伸張させたコンテンツデータを含むコンテンツ選択画面２０５を表示部１０２に表示させる。
【００５８】
コンテンツ選択画面２０５において、コンテンツデータ２０６を選択する場合は選択ボタン２０７を選択し、選択しない場合は前ボタン２０８又は次ボタン２０９を選択する。前ボタン２０８が選択されると、コンテンツ選択画面２０１へ戻り、次ボタン２０９を選択すると次のコンテンツ選択画面２１０へ進む。
ここで、次ボタン２０９を選択した場合、コンテンツ選択画面２１０が表示され、コンテンツデータ２１１が表示される。このコンテンツデータ２１１は、コンテンツＩＤが“２３００−３００”であり、このコンテンツＩＤに対応する配布可能信頼度閾値は９９であるため、選択不可表示２１２が表示される。これにより、コンテンツデータ２１１は、選択不可能となる。
【００５９】
コンテンツ選択画面２１０において、コンテンツデータ２１１は選択できないため、前ボタン２１３又は次ボタン２１４を選択する。
次ボタン２１４が選択された場合、コンテンツ選択画面２１５が表示され、コンテンツデータ２１６が表示される。このコンテンツデータ２１６を選択する場合は、選択ボタン２１８が選択される。前のコンテンツ選択画面２１０を表示させる場合は、前へボタン２１７が選択される。コンテンツ情報１３２に登録されているコンテンツデータは、これ以上存在しないので次ボタンは表示されない。
【００６０】
ここで、コンテンツデータ２１６が選択されると、送信・保存・設定選択画面２１９において、コンテンツデータ２１６が表示される。以降においては、配信コンテンツ選択部１１２は、上記に示す動作を行う。
（６）配信条件設定部１１３
配信条件設定部１１３は、配信コンテンツ選択部１１２から、ユーザにより選択されたコンテンツＩＤと、閾値データ生成命令とを受け取る。
【００６１】
配信条件設定部１１３は、受け取ったコンテンツＩＤに含まれる端末ＩＤを用いて、送信・保存・設定選択画面２１９で選択されたコンテンツデータが自端末で生成されたものであるか、あるいは他端末で生成されたものであるかの判断を行う。
選択されたコンテンツが自端末で生成されたものでないと判断した場合、配信条件設定部１１３は、表示部１０２に設定不可画面２２４を表示させる。設定不可画面２２４は、図１１に示すように、選択されたコンテンツデータ２０６、そのコンテンツＩＤ“２１００−２００”及び設定が禁止されている旨のメッセージ“設定不可”２２５を表示する項目と、終了ボタン２２６とから構成されている。設定不可画面２２４において、終了ボタン２２６が選択されると、入力部１０１から画面表示を終了する旨の表示終了命令を受け取り、コンテンツ処理が終了した旨を示す処理終了命令を制御部１２０へ出力する。なお、設定不可画面２２４にて表示されるコンテンツデータは、映像制御部１０６にて伸張されたコンテンツデータである。
【００６２】
選択されたコンテンツが自端末で生成されたものであると判断した場合、配信条件設定部１１３は、選択されたコンテンツＩＤに対応するコンテンツデータをコンテンツ情報１３２から読み出す。
配信条件設定部１１３は、読み出したコンテンツデータを含む配信条件入力画面２２７を表示部１０２に表示させる。
【００６３】
配信条件入力画面２２７は、図１２に示すように、コンテンツデータ２１６及びそのコンテンツＩＤを表示する項目と、配布可能信頼度閾値、保存可能信頼度閾値、オリジナル画像表示可能信頼度閾値、編集可能信頼度閾値、カラー表示可能信頼度閾値及び配布可能許可世代数の値を受け付ける項目と、登録ボタン２３４と、キャンセルボタン２３５とから構成されている。なお、配信条件入力画面２２７にて表示されるコンテンツデータは、映像制御部１０６にて伸張されたコンテンツデータである。
【００６４】
配信条件入力画面２２７において、配信条件設定部１１３は、ユーザによって入力された配布可能信頼度閾値、保存可能信頼度閾値、オリジナル画像表示可能信頼度閾値、編集可能信頼度閾値、カラー表示可能信頼度閾値及び配布可能許可世代数を、入力部１０１を介して、受け取る。配信条件設定部１１３は、受け取った各数値を一時的に記憶する。
配信条件入力画面２２７において登録ボタン２３４が選択された場合、配信条件設定部１１３は、入力部１０１から、登録ボタン２３４が選択されたことを示す条件登録命令とを受け取る。配信条件設定部１１３は、受け取った各数値と、コンテンツＩＤとを用いてコンテンツ閾値データを生成し、生成したコンテンツ閾値データを記憶部１０８のコンテンツ閾値データテーブル１３９へ書き込む。配信条件設定部１１３は、処理終了命令を制御部１２０へ出力する。
【００６５】
配信条件設定部１１３は、入力部１０１からキャンセルボタンが選択されたことを示す条件キャンセル命令を受け付けると、ユーザにより入力された各数値を削除し、受け取ったコンテンツＩＤに含まれる端末ＩＤを用いて、配信条件入力画面２２７を、再度、表示部１０２に表示させる。
例えば、図１０において、送信・保存・設定選択画面２１９で設定ボタン２２３が選択されると、配信条件設定部１１３は選択されたコンテンツデータが他端末で生成したものか自端末で生成したものかを判断する。この場合、配信条件設定部１１３は、コンテンツデータが自端末で生成したものであると判断し、配信条件入力画面２２７を表示部１０２に表示させ、コンテンツデータ２１６の配布可能信頼度閾値、保存可能信頼度閾値、オリジナル画像表示可能信頼度閾値、編集可能信頼度閾値、カラー表示可能信頼度閾値及び配布可能許可世代数を、入力部１０１を介して受け付ける。
【００６６】
ここでは、配信条件設定部１１３は、配布可能信頼度閾値２２８として“０．３”、保存可能信頼度閾値２２９に“０．５”、オリジナル画像表示可能信頼度閾値２３０に“０．４”、編集可能信頼度閾値２３１に“０．７”、カラー表示可能信頼度閾値２３２に“０．４”、配布可能許可世代数２３３に“５”をそれぞれ受け付け、登録ボタン２３４が選択されると、配信条件設定部１１３は、入力された各数値と、コンテンツＩＤ“１０００−４００”とを用いてコンテンツ閾値データを生成する。配信条件設定部１１３は、生成したコンテンツ閾値データをコンテンツ閾値データテーブル１３９へ書き込む。
【００６７】
また、配信条件入力画面２２７において、キャンセルボタン２３５が選択されると入力された各数値は消去され、再度、入力を受け付ける。
（７）配信先選択部１１６
配信先選択部１１６は、コンテンツデータの配信先として選択された他端末ＩＤを１以上記憶するためのＩＤ記憶領域を有している。
【００６８】
配信先選択部１１６は、配信コンテンツ選択部１１２から、配信先設定命令を受け取ると、記憶部１０８の他端末情報テーブル１３１から全ての他端末ＩＤを取得し、取得した全ての他端末ＩＤそれぞれに対応する配信先情報、名前、信頼度からなる組を、所定数毎に配信先選択画面２４０を用いて、表示部１０２に表示させる。配信先選択画面２４０は、図１３にて示すように、配信先情報、名前、信頼度からなる組を所定数分表示する領域と、ＯＫボタン２４１と、次ボタン２４２とから構成されている。
【００６９】
配信先選択画面２４０において、配信先選択部１１６は、ユーザより選択された配信先を、入力部１０１を介して受け取り、受け取った配信先と、その配信先に対応する他端末ＩＤとをＩＤ記憶領域に一時的に記憶する。ここで、配信先の選択は複数選択することができ、配信先選択部１１６は、選択された１以上の配信先と、それぞれに対応する他端末ＩＤとを、ＩＤ記憶領域に一時的に記憶する。ここで、一時的に記憶する配信先とは、配信先の名前を含む情報である。
【００７０】
配信先選択画面２４０においてＯＫボタン２４１が選択されると、配信先選択部１１６は、入力部１０１から、配信先が選択された旨を示す配信選択命令とを受け付ける。配信先選択部１１６は、選択された１以上の配信先の名前を含む配信先確認画面２４３を、表示部１０２に表示させる。配信先確認画面２４３は、図１３に示すように、選択された配信先の対象者の名前を表示する領域と、ＯＫボタン２４４及びキャンセルボタン２４５とから構成されている。
【００７１】
配信先選択画面２４０において次ボタン２４２が選択されると、配信先選択部１１６は、入力部１０１から次の情報を表示する旨を示す次表示命令を受け取る。そして、配信先選択部１１６は、未表示である、配信先情報、名前、信頼度からなる１以上の組を所定数分、配信先選択画面２４０を用いて、表示部１０２に表示させる。
配信先確認画面２４３においてＯＫボタン２４４が選択されると、配信先選択部１１６は、入力部１０１から送信先が確定した旨を示す送信先確定命令を受け付ける。配信先選択部１１６は、ＩＤ記憶領域に記憶している１以上の他端末ＩＤ、つまり、ユーザにより選択された１以上の他端末ＩＤを配信データ生成部１１１に出力する。配信先確認画面２４３においてキャンセルボタン２４５が選択されると、配信先選択部１１６は、一時的に記憶している１以上の他端末ＩＤを破棄し、入力部１０１から処理を中止する旨の配信先キャンセル命令を受け取り、処理終了命令を制御部１２０へ出力し、処理を中止する。
【００７２】
例えば、図１０に示す送信・保存・設定選択画面２１９において、送信ボタン２２１が選択されると、配信先選択部１１６は、記憶部１０８にある他端末情報テーブル１３１に記憶されている全ての他端末ＩＤを取得し、取得した端末ＩＤに対応する名前、配信先情報及び信頼度からなる組を所定数分、配信先選択画面２４０を用いて、表示部１０２に表示させる。以降、所定数分だけ表示させた名前、配信先情報及び信頼度からなる１以上の組を配信先リストという。配信先選択画面２４０において、次ボタン２４２が選択された場合、次の配信先リストが配信先選択画面により表示される。
【００７３】
ここで、「花子」、「次郎」及び「太郎」を選択し、ＯＫボタン２４１が選択された場合、配信先確認画面２４３が表示され、キャンセルボタン２４５が選択された場合には、配信先選択画面２４０に戻り、再び配信先の選択が可能となる。
また、配信先確認画面においてＯＫボタン２４４が選択されると、配信先選択部１１６は、選択された１以上の他端末ＩＤを配信データ生成部１１１へ出力する。
【００７４】
（８）配信データ生成部１１１
配信データ生成部１１１は、配信時生成データ及び保存時生成データの生成を行う。
配信時生成データは、コンテンツデータを他のユーザ端末へ配信する場合に、配信するコンテンツデータとともに、配信先の他のユーザ端末へ配信されるデータである。配信時生成データは、図１４（ａ）に示すように、端末ＩＤ、配信先情報、コンテンツＩＤ、二次配布可能信頼度閾値、二次保存可能信頼度閾値、二次オリジナル画像表示可能信頼度閾値、二次編集可能信頼度閾値、二次カラー表示可能信頼度閾値、及び二次配布許可世代数から構成される。
【００７５】
端末ＩＤは、配信先のユーザ端末を識別する識別子であり、他端末ＩＤと同一である。配信先情報は、配信先のユーザ端末の宛先（ここでは、メールアドレス）を示す。コンテンツＩＤは、配信するコンテンツデータに対応する識別子である。
二次配布可能信頼度閾値は、配布先のユーザ端末が、配信されたコンテンツデータを、さらに別のユーザ端末へ配信する場合に用いる配布可能信頼度閾値である。
【００７６】
二次保存可能信頼度閾値は、配布先のユーザ端末が、配信されたコンテンツデータを、さらに別のユーザ端末へ配信する場合に用いる保存可能信頼度閾値である。
二次オリジナル画像表示可能信頼度閾値は、配布先のユーザ端末が、配信されたコンテンツデータを、さらに別のユーザ端末へ配信する場合に用いるオリジナル画像表示可能信頼度閾値である。
【００７７】
二次編集可能信頼度閾値は、配布先のユーザ端末が、配信されたコンテンツデータを、さらに別のユーザ端末へ配信する場合に用いる編集可能信頼度閾値である。
二次カラー表示可能信頼度閾値は、配布先のユーザ端末が、配信されたコンテンツデータを、さらに別のユーザ端末へ配信する場合に用いるカラー表示可能信頼度閾値である。
二次配布許可世代数は、配布先のユーザ端末が、配信されたコンテンツデータを、さらに別のユーザ端末へ配信する場合に用いる配布許可世代数である。
【００７８】
保存時生成データは、コンテンツデータをメモリカード５０へ保存する場合に、保存するコンテンツデータとともに、メモリカード５０に保存されるデータである。保存時生成データは、図１４（ｂ）に示すように、端末ＩＤ、配信先情報、コンテンツＩＤ、二次配布可能信頼度閾値、二次保存可能信頼度閾値、二次オリジナル画像表示可能信頼度閾値、二次編集可能信頼度閾値、二次カラー表示可能信頼度閾値、及び二次配布許可世代数から構成される。
【００７９】
保存時生成データの構成要素は、配信時生成データと同様であるため、ここでの説明は省略する。
なお、保存時生成データでは、端末ＩＤ及び配信先情報には、情報は設定されない。また、各信頼度閾値は、メモリカード５０が装着されたユーザ端末（例えば、ＰＣ端末２４）が、配信時に利用される。
【００８０】
以下、配信時生成データの生成、及び保存辞生成データの生成、それぞれの動作について説明する。
（配信時生成データの生成）
ここでは、配信時生成データを生成する動作について説明する。
配信データ生成部１１１は、配信コンテンツ選択部１１２から、ユーザにより選択されたコンテンツＩＤを受け取ると、受け取ったコンテンツＩＤに対応するコンテンツ閾値データを、記憶部１０８のコンテンツ閾値データテーブル１３９から読み出す。
【００８１】
配信データ生成部１１１は、選択された１以上の他端末ＩＤを配信先選択部１１６から受け取ると、受け取った１以上の他端末ＩＤのうち１の他端末ＩＤを取得する。
配信データ生成部１１１は、取得した１の他端末ＩＤに対応する他端末情報に含まれる信頼度を、他端末情報テーブル１３１から取得する。
配信データ生成部１１１は、読み出したコンテンツ閾値データに含まれる配布可能許可世代数から値“１”を減算した結果を値Ｆとし、値Ｆが、１以上であるか否かを判断する。
値Ｆが１以上であると判断する場合には、読み出したコンテンツ閾値データに含まれる配布可能信頼度閾値が“９９”であるか否かを判断する。
【００８２】
配布可能信頼度閾値が“９９”でないと判断する場合には、配信データ生成部１１１は、他端末情報テーブル１３１から取得した信頼度が、配布可能信頼度閾値以上であるか否かを判断する。
信頼度が配布可能信頼度閾値以上であると判断する場合には、配信データ生成部１１１は、配布可能信頼度閾値と信頼度とを用いて、値Ａ（＝（配布可能信頼度閾値）／（信頼度））を算出する。信頼度が配布可能信頼度閾値以上でないと判断する場合には、配信データ生成部１１１は、値Ａに“９９”を設定する。
【００８３】
さらに、配信データ生成部１１１は、カラー表示可能信頼度閾値と信頼度とを用いて、値Ｂ（＝（カラー表示可能信頼度閾値）／（信頼度））を算出し、算出した値Ｂが１以下であるか否かを判断する。
値Ｂが１以下でないと判断する場合には、配信データ生成部１１１は、値Ｂに“９９”を設定し、データ加工部１１０へコンテンツデータに２値画像処理を施す旨を示す２値画像処理命令を出力する。
【００８４】
値Ｂが１以下であると判断する場合には、配信データ生成部１１１は、編集可能信頼度閾値と信頼度とを用いて、値Ｃ（＝（編集可能信頼度閾値）／（信頼度））を算出し、算出した値Ｃが１以下であるか否かを判断する。
値Ｃが１以下でないと判断する場合には、配信データ生成部１１１は、値Ｃに“９９”を設定し、データ加工部１１０へコンテンツデータの編集を禁止する旨を示す編集不可設定命令を出力する。
【００８５】
値Ｃが１以下であると判断する場合には、配信データ生成部１１１は、オリジナル画像表示可能信頼度閾値と信頼度とを用いて、値Ｄ（＝（オリジナル画像表示可能信頼度閾値）／（信頼度））を算出し、算出した値Ｄが１以下であるか否かを判断する。
値Ｄが１以下でないと判断する場合には、配信データ生成部１１１は、値Ｄに“９９”を設定し、データ加工部１１０へコンテンツデータを縮小する旨を示す画像縮小命令を出力する。
【００８６】
値Ｄが１以下であると判断する場合には、配信データ生成部１１１は、保存可能信頼度閾値と信頼度とを用いて、値Ｅ（＝（保存可能信頼度閾値）／（信頼度））を算出し、算出した値Ｅが１以下であるか否かを判断する。
値Ｅが１以下でないと判断する場合には、配信データ生成部１１１は、値Ｅに“９９”を設定し、データ加工部１１０へコンテンツデータの保存を禁止する旨を示す保存不可設定命令を出力する。
【００８７】
値Ｅが１以下であると判断する場合には、取得した１の他端末ＩＤに対応する他端末情報に含まれる配信先情報を、他端末情報テーブル１３１から取得し、算出した各値（Ａ、Ｂ、Ｃ、Ｄ、Ｅ、Ｆ）と、選択されたコンテンツＩＤ、他端末ＩＤ及び配信先情報とを用いて、配信時生成データを生成する。ここで、値Ａは二次配布可能信頼度閾値として設定され、値Ｂは二次カラー表示可能信頼度閾値として設定され、値Ｃは二次編集可能信頼度閾値として設定される。また、値Ｄは二次オリジナル画像表示可能信頼度閾値として設定され、値Ｅは二次保存可能信頼度閾値として設定され、値Ｆは二次配布許可世代数として設定される。
【００８８】
配信データ生成部１１１は、配信時生成データの生成が完了した旨を示すデータ生成完了命令を、データ加工部１１０へ出力する。
配信データ生成部１１１は、生成した配信時生成データと、コンテンツデータの配信を指示する旨の配信命令とを配信処理部１１８へ出力する。配信データ生成部１１１は、配信処理部１１８から、次の配信時生成データの生成を指示する次データ生成命令を受け取ると、選択された１以上の他端末ＩＤから未取得の他端末ＩＤが存在するか否かを判断する。存在すると判断する場合には、配信データ生成部１１１は、未取得の他端末ＩＤから１の他端末ＩＤを取得し、再度、上記の動作を行う。未取得の他端末ＩＤが存在しないと判断する場合には、配信データ生成部１１１は、処理終了命令を制御部１２０へ出力して、動作を終了する。
【００８９】
値Ｆが１以上でないと判断する場合、及び配布可能信頼度閾値が“９９”であると判断する場合には、配信データ生成部１１１は、表示部１０２に送信不可画面２５２を表示させる。送信不可画面２５２は、図１５に示すように、コンテンツデータの送信が不可である旨を示すメッセージ“送信不可”と、終了ボタン２５３とから構成されている。配信データ生成部１１１は、入力部１０１から終了ボタン２５３が押下されたことを示す表示終了命令を受け取ると、処理終了命令を制御部１２０へ出力して、動作を終了する。
【００９０】
例えば、図１３にて示す配信先確認画面２４３において、送信先として「花子」、「次郎」及び「太郎」が選択された場合の動作を以下に示す。
配信データ生成部１１１は、選択された３つの他端末ＩＤのうち、「花子」の他端末ＩＤ“２２００”を取得、及び選択されたコンテンツＩＤ“１０００−４００”に対応するコンテンツ閾値データ１４７を取得する。
【００９１】
配信データ生成部１１１は、配布許可世代数より値Ｆを算出し、さらに、他端末ＩＤ“２２００”に対応する信頼度と、配布可能信頼度閾値、保存可能信頼度閾値、オリジナル画像表示可能信頼度閾値、編集可能信頼度閾値、及びカラー表示可能信頼度閾値とを用いて、値Ａ、Ｂ、Ｃ、Ｄ、Ｅを算出する。配信データ生成部１１１は、他端末ＩＤ、配信先情報、コンテンツＩＤ、及び算出した各値とを用いて、図１４に示す配信時生成データ２４７を生成する。
【００９２】
次に、配信データ生成部１１１は、未取得である２つの他端末ＩＤのうち、「次郎」の他端末ＩＤ“２３００”を取得し、図１４に示す配信時生成データ２４８を生成する。
次に、配信データ生成部１１１は、未取得である１つの他端末ＩＤである「太郎」の他端末ＩＤ“２１００”を取得し、図１４に示す配信時生成データ２４９を生成する。このとき、他端末ＩＤ“２１００”に対する信頼度は“０．１”であり、コンテンツＩＤ“１０００−４００”に対応する配布可能信頼度閾値は“０．３”であるので、値Ａには“９９”が設定される。これにより、太郎のユーザ端末は、コンテンツＩＤ“１０００−４００”に対応するコンテンツデータを受け取ると、それ以降は、受け取ったコンテンツデータを、他のユーザ端末には配信できなくなる。
【００９３】
（保存時生成データの生成）
配信データ生成部１１１は、配信コンテンツ選択部１１２から、選択されたコンテンツＩＤと、保存データ生成命令とを受け取ると、受け取ったコンテンツＩＤに対応するコンテンツ閾値データをコンテンツ閾値データテーブル１３９から取得する。
配信データ生成部１１１は、取得したコンテンツ閾値データと、受け取ったコンテンツＩＤとを用いて、保存時生成データを生成する。
【００９４】
配信データ生成部１１１は、生成した保存時生成データと、コンテンツデータの保存行う旨の保存命令とを配信処理部１１８へ出力する。
（９）配信処理部１１８
（保存に係る動作）
配信処理部１１８は、配信データ生成部１１１から保存命令と、保存時生成データとを受け取ると、受け取った保存時生成データに含まれるコンテンツＩＤ、つまりユーザにより選択されたコンテンツＩＤに対応するコンテンツデータを、コンテンツ情報１３２から読み出す。配信処理部１１８は、読み出したコンテンツデータと受け取った保存時生成データとをメモリカード５０へ書き込む。
【００９５】
配信処理部１１８は、処理終了命令を制御部１２０へ出力する。
（配信に係る動作）
配信処理部１１８は、データ加工部１１０から加工されていないコンテンツデータ又は加工されたコンテンツデータを受け取る（以降、単に、コンテンツデータという）。
配信処理部１１８は、配信データ生成部１１１から配信命令と、配信時生成データとを受け取ると、受け取った配信時生成データに含まれる端末ＩＤに対応する他端末情報に含まれる名前を他端末情報テーブル１３１から取得する。
【００９６】
配信処理部１１８は、データ加工部１１０より受け取ったコンテンツデータと、配信データ生成部１１１より受け取った配信時生成データと、取得した名前とを含む配信時確認画面２５８を、表示部１０２に表示させる。
ここで、配信時確認画面２５８は、図１６に示すように、選択されたコンテンツデータ２１６、コンテンツＩＤ２５９、配信先２６０、名前２６１、二次配布可能信頼度閾値２６２、二次保存可能信頼度閾値２６３、二次オリジナル画像表示可能信頼度閾値２６４、二次編集可能信頼度閾値２６５、二次カラー表示可能信頼度閾値２６６、二次配布許可世代数２６７、送信ボタン２６８、及びキャンセルボタン２６９から構成されている。なお、配信時確認画面２５８にて表示されるコンテンツデータは、映像制御部１０６にて伸張されたコンテンツデータである。
【００９７】
送信ボタン２６８は、送信を行う場合に押下されるボタンであり、キャンセルボタン２６９は、送信をキャンセルする場合に押下されるボタンである。なお、他の表示項目については、配信時生成データの各項目及び、他端末情報における項目と同一であるため、ここでの説明は省略する。
配信時確認画面２５８において送信ボタン２６８が選択されると、配信処理部１１８は、入力部１０１から配信を実行する旨の配信実行命令を受け取り、データ加工部１１０より受け取ったコンテンツデータと、配信データ生成部１１１より受け取った配信時生成データとを、配信先にて示される宛先へ送信する。配信処理部１１８は、送信後、次データ生成命令を配信データ生成部１１１へ出力する。
【００９８】
配信時確認画面２５８においてキャンセルボタン２６９が選択されると、配信処理部１１８は、入力部１０１から配信を中止する旨の配信キャンセル命令を受け取り、次データ生成命令を配信データ生成部１１１へ出力する。
例えば、配信処理部１１８は、データ加工部１１０から、コンテンツＩＤが“１０００−４００”であるコンテンツデータを取得し、配信データ生成部１１１から配信時生成データ２４７を受け取る。配信データ生成部１１１は、表示部１０２に配信時確認画面２５８を表示させる。配信時確認画面２５８では、送信対象のコンテンツデータ２１６、そのコンテンツＩＤ“１０００−４００”、配信先情報“Ｈａｎａ＠ａａａ．ｂｂｂ．ｃｃｃ”、名前”花子“、二次配布可能信頼度閾値”０．３３“、二次保存可能信頼度閾値”０．５６“、二次オリジナル画像表示可能信頼度閾値”０．４４“、二次編集可能信頼度閾値”０．７８“、二次カラー表示可能信頼度閾値”０．４４“及び二次配布許可世代数”４“が表示される。
【００９９】
送信ボタン２６８が押下されると、アンテナ１２１を介して、コンテンツＩＤが“１０００−４００”であるコンテンツデータ２１６及び配信時生成データ２４７送信され、キャンセルボタン２６９が押下されると、送信はキャンセルされる。
（１０）データ加工部１１０
データ加工部１１０は、配信コンテンツ選択部１１２から、ユーザにより選択されたコンテンツＩＤを受け取ると、受け取ったコンテンツＩＤに対応するコンテンツデータをコンテンツ情報から取得し、一時的に記憶する。
【０１００】
データ加工部１１０は、配信データ生成部１１１から２値画像処理命令を受け取ると、一時的に記憶しているコンテンツデータに２値画像処理を施し、２値画像処理が施されたコンテンツデータを、再度、コンテンツデータとし、一時的に記憶する。
データ加工部１１０は、配信データ生成部１１１から編集不可設定命令を受け取ると、一時的に記憶しているコンテンツデータを編集不可に設定し、編集不可が設定されたコンテンツデータを、再度、コンテンツデータとして、一時的に記憶する。
【０１０１】
データ加工部１１０は、配信データ生成部１１１から画像縮小命令を受け取ると、一時的に記憶しているコンテンツデータを縮小し、縮小したコンテンツデータを、再度、コンテンツデータとして、一時的に記憶する。
データ加工部１１０は、配信データ生成部１１１から保存不可設定命令を受け取ると、一時的に記憶しているコンテンツデータを保存不可に設定し、保存不可が設定されたコンテンツデータを、再度、コンテンツデータとして、一時的に記憶する。
【０１０２】
データ加工部１１０は、データ生成完了命令を、配信データ生成部１１１から受け取ると、一時的に記憶しているコンテンツデータを配信処理部１１８へ出力する。
（１１）受信処理部１１７
受信処理部１１７は、他のユーザ端末から通信部１１９を介して、コンテンツデータと配信時生成データを受け取り、受け取ったコンテンツデータを表示部１０２に表示させる。このとき、受信処理部１１７は、受け取ったコンテンツデータに編集不可等が設定されている場合には、設定されている情報に基づき、受け取ったコンテンツデータを表示部１０２に表示させる。なお、表示部１０２にて表示されるコンテンツデータは、映像制御部１０６にて伸張されたコンテンツデータである。
【０１０３】
コンテンツデータの表示が終了すると、受信処理部１１７は、コンテンツデータに保存不可が設定されていない場合には、受け取った配信時生成データからコンテンツ閾値データを生成し、生成したコンテンツ閾値データをコンテンツ閾値データテーブル１３９へ書き込み、さらに、受け取ったコンテンツデータとそのコンテンツＩＤとを対応付けて、コンテンツ情報１３２へ書き込む。なお、コンテンツデータに保存不可が設定されている場合には、受信処理部１１７は、受け取ったコンテンツデータ及び配信時生成データを破棄する。
【０１０４】
（１２）通信部１１９
通信部１１９は、アンテナ１２１を介して、通信プロトコルを用いてネットワーク上の他のユーザ端末からコンテンツデータ及び配信時生成データを受信する。通信部１１９は、受信したコンテンツデータ及び配信時生成データを受信処理部１１７へ出力する。
通信部１１９は、コンテンツデータ及び配信時生成データを、配信処理部１１８から受け取り、受け取ったコンテンツデータ及び配信時生成データを、アンテナ１２１を介して配信先の他のユーザ端末へ配信する。
【０１０５】
（１３）映像制御部１０６
映像制御部１０６は、カメラ１０３より画像を受け取ると、受け取った画像を圧縮し、圧縮した画像をコンテンツデータとし、コンテンツデータをコンテンツ取得部１０７へ出力する。
映像制御部１０６は、配信コンテンツ選択部１１２がコンテンツデータを含むコンテンツ選択画面を表示する際に、表示対象のコンテンツデータの伸張を行う。
【０１０６】
映像制御部１０６は、配信条件設定部１１３がコンテンツデータを含む設定不可画面及び配信条件入力画面を表示する際に、表示対象のコンテンツデータの伸張を行う。
映像制御部１０６は、配信処理部１１８がコンテンツデータを含む配信時確認画面を表示する際に、表示対象のコンテンツデータの伸張を行う。
映像制御部１０６は、受信処理部１１７が他のユーザ端末から受信したコンテンツデータを表示する際に、表示対象のコンテンツデータの伸張を行う。
【０１０７】
（１４）表示部１０２
表示部１０２は、処理選択部１１５の指示により、メニュー選択画面及びメニュー終了画面を表示する。
表示部１０２は、他端末情報設定部１１４の指示により、他端末情報入力画面を表示する。
【０１０８】
表示部１０２は、コンテンツ取得部１０７の指示により、コンテンツデータ生成画面を表示する。
表示部１０２は、配信コンテンツ選択部１１２の指示により、コンテンツ選択画面、及び送信・保存・設定選択画面を表示する。
表示部１０２は、配信条件設定部１１３の指示により、設定不可画面、及び配信条件入力画面を表示する。
【０１０９】
表示部１０２は、配信先選択部１１６の指示により、配信先選択画面、及び配信先確認画面を表示する。
表示部１０２は、配信データ生成部１１１の指示により、送信不可画面を表示する。
表示部１０２は、配信処理部１１８の指示により、配信時確認画面を表示する。
表示部１０２は、受信処理部１１７の指示により、受信したコンテンツデータの表示を行う。
【０１１０】
（１５）制御部１２０
制御部１２０は、携帯端末１０の全体の制御を行う。
制御部１２０は、メニュー選択画面表示命令を処理選択部１１５へ出力する。
メニュー選択画面１４８が表示されている場合において、制御部１２０は、入力部１０１から他端末情報設定が選択された旨を示す第１選択命令を受け取ると、設定命令を他端末情報設定部１１４に出力する。
【０１１１】
メニュー選択画面１４８が表示されている場合において、制御部１２０は、入力部１０１からコンテンツデータ生成が選択された旨を示す第２選択命令を受け取ると、生成命令をコンテンツ取得部１０７に出力する。
メニュー選択画面１４８が表示されている場合において、制御部１２０は、入力部１０１からコンテンツ処理が選択された旨を示す第３選択命令を受け取ると、選択命令を配信コンテンツ選択部１１２に出力する。
【０１１２】
制御部１２０は、他端末情報設定部１１４から設定終了命令を受け取ると、メニュー終了画面表示命令を、処理選択部１１５に出力する。
制御部１２０は、コンテンツ取得部１０７から生成終了命令を受け取ると、メニュー終了画面表示命令を、処理選択部１１５に出力する。
制御部１２０は、配信データ生成部１１１から処理終了命令を受け取ると、メニュー終了画面表示命令を、処理選択部１１５に出力する。
【０１１３】
制御部１２０は、配信条件設定部１１３から処理終了命令を受け取ると、メニュー終了画面表示命令を、処理選択部１１５に出力する。
制御部１２０は、配信処理部１１８から処理終了命令を受け取ると、メニュー終了画面表示命令を、処理選択部１１５に出力する。
（１６）入力部１０１
入力部１０１は、表示部１０２にて表示されている画面に応じて、ユーザからデータの入力の受け付け、及びボタン選択の受け付けを行う。
【０１１４】
メニュー選択画面１４８が表示されている場合において、入力部１０１は、ユーザによって他端末情報設定が選択され、選択ボタン１４９が押下されると、第１選択命令を制御部１２０に出力する。
メニュー選択画面１４８が表示されている場合において、入力部１０１は、ユーザによってコンテンツデータ生成が選択され、選択ボタン１４９が押下されると、第２選択命令を制御部１２０に出力する。
【０１１５】
メニュー選択画面１４８が表示されている場合において、入力部１０１は、ユーザによってコンテンツ処理が選択され、選択ボタン１４９が押下されると、第３選択命令を制御部１２０に出力する。
メニュー終了画面１５０が表示されている場合において、入力部１０１は、終了ボタン１５１が選択されると、終了が選択された旨を処理選択部１１５へ出力し、続行ボタン１５２が選択されると、続行が選択された旨を処理選択部１１５へ出力する。
【０１１６】
他端末情報入力画面１５３が表示されている場合において、入力部１０１は、他端末情報を受け付けると、受け付けた他端末情報を他端末情報設定部１１４へ出力する。また、入力部１０１は、登録ボタン１５８の選択を受け付けると、情報登録命令を他端末情報設定部１１４へ出力し、キャンセルボタン１５９の選択を受け付けると、情報キャンセル命令を他端末情報設定部１１４へ出力する。
【０１１７】
コンテンツデータ生成画面が表示されている場合において、カメラによる生成が選択され、選択ボタン１６１が押下されると、入力部１０１は、カメラによる生成が選択された旨をコンテンツ取得部１０７へ出力する。また、入力部１０１は、メモリカードからの読取が選択され、選択ボタン１６１が押下されると、メモリカードからの読取が選択された旨をコンテンツ取得部１０７へ出力し、文字入力による生成が選択され、選択ボタン１６１が押下されると、文字入力による生成が選択された旨をコンテンツ取得部１０７へ出力する。
【０１１８】
コンテンツ選択画面が表示されている場合において、入力部１０１は、前ボタンが選択されると、前移動命令を配信コンテンツ選択部１１２へ出力し、次ボタンが選択されると、次移動命令を配信コンテンツ選択部１１２へ出力する。また、入力部１０１は、選択ボタンが選択されると、選択決定命令を配信コンテンツ選択部１１２へ出力する。
送信・保存・設定選択画面が表示されている場合において、入力部１０１は、送信ボタンが選択されると、送信選択命令を配信コンテンツ選択部１１２へ出力し、保存ボタンが選択されると、保存選択命令を配信コンテンツ選択部１１２へ出力する。また、入力部１０１は、設定ボタンが選択されると、設定選択命令を配信コンテンツ選択部１１２へ出力する。
【０１１９】
設定不可画面２２４が表示されている場合において、入力部１０１は、終了ボタン２２６が選択されると、表示終了命令を配信条件設定部１１３へ出力する。
配信条件入力画面２２７が表示されている場合において、入力部１０１は、配布可能信頼度閾値、保存可能信頼度閾値、オリジナル画像表示可能信頼度閾値、編集可能信頼度閾値、カラー表示可能信頼度閾値及び配布可能許可世代数とを受け付けると、受け付けた各値を、配信条件設定部１１３へ出力する。また、入力部１０１は、登録ボタン２３４が選択されると、条件登録命令を配信条件設定部１１３へ出力し、キャンセルボタン２３５が選択されると、条件キャンセル命令を配信条件設定部１１３へ出力する。
【０１２０】
配信先選択画面２４０が表示されている場合において、入力部１０１は、配信先の選択を受け付けると、選択された配信先を配信先選択部１１６へ出力する。また、入力部１０１は、ＯＫボタン２４１が選択されると、配信選択命令を配信先選択部１１６へ出力し、次ボタン２４２が選択されると、次表示命令を配信先選択部１１６へ出力する。
配信先確認画面２４３が表示されている場合において、入力部１０１は、ＯＫボタン２４４が選択されると、送信先確定命令を配信先選択部１１６へ出力し、キャンセルボタン２４５が選択されると、配信先キャンセル命令を配信先選択部１１６へ出力する。
【０１２１】
送信不可画面２５２が表示されている場合において、入力部１０１は、終了ボタン２５３が選択されると、表示終了命令を配信データ生成部１１１へ出力する。
配信時確認画面２５８が表示されている場合において、入力部１０１は、送信ボタン２６８が選択されると、配信実行命令を配信処理部１１８へ出力し、キャンセルボタン２６９が選択されると、配信キャンセル命令を配信処理部１１８へ出力する。
【０１２２】
（１７）メモリカード５０
メモリカード５０は、例えば、長さ３２ｍｍ、幅２４ｍｍ、厚さ２．１ｍｍの板状に形成された樹枝内に、ＩＣチップ部が、封入されて形成されている。
メモリカード５０は、具体的には、マイクロプロセッサ、ＲＯＭ、ＲＡＭなどから構成されているコンピュータシステムである。
【０１２３】
メモリカード５０は、コンテンツデータ及び保存時生成データを記憶するための領域を有している。
（１８）マイク１０５
マイク１０５は、通話時に、ユーザからの音声入力を受け付け、受け付けた音声を信号に変換して、通信部１１９へ出力する。
【０１２４】
（１９）スピーカ１０４
スピーカ１０４は、通話時に、通信部を介して受信した音声信号を音声に変換して出力する。
（２０）カメラ１０３
カメラ１０３は、例えば、デジタルカメラであり、撮影された画像を、映像制御部１０６へ出力する。
【０１２５】
（２１）アンテナ１２１
アンテナ１２１は、電波の送信・受信を行う。
１．３  携帯端末１０の動作
ここでは、携帯端末１０の動作について、説明する。
（１）メニュー選択時の動作
ここでは、メニュー選択時の動作について、図１７に示す流れ図を用いて説明する。
【０１２６】
制御部１２０は、処理選択部１１５にメニュー選択画面表示命令を出力する（ステップＳ５）。
処理選択部１１５は、表示部１０２にメニュー選択画面１４８を表示させ（ステップＳ１０）、入力部１０１は、メニュー選択を受け付ける（ステップＳ１５）。
メニュー選択画面１４８において、「他端末情報設定」が選択された場合（ステップＳ２０における「他端末情報設定」）、制御部１２０は、他端末情報設定部１１４へ設定命令を出力し（ステップＳ３０）、他端末情報設定部１１４は、他端末情報設定を開始する（ステップＳ３５）。
【０１２７】
メニュー選択画面１４８において、「コンテンツの生成」が選択された場合（ステップＳ２０における「コンテンツデータ生成」）、制御部１２０は、コンテンツ取得部１０７に生成命令を出力し（ステップＳ４０）、コンテンツ取得部１０７は、コンテンツデータの生成を開始する（ステップＳ４５）。
メニュー選択画面１４８において、「コンテンツ処理」が選択された場合（ステップＳ２０における「コンテンツ処理」）、制御部１２０は、配信コンテンツ選択部１１２に選択命令を出力し（ステップＳ５０）、配信コンテンツ選択部１１２は、コンテンツ処理を開始する（ステップＳ５５）。
【０１２８】
「他端末情報設定」、「コンテンツデータの生成」又は「コンテンツ処理」が終了すると、制御部１２０は、処理選択部１１５にメニュー終了画面表示命令を出力する。処理選択部１１５は、メニュー終了画面表示命令を受け取ると、メニュー終了画面１５０を、表示部１０２に表示させ（ステップＳ６０）、ボタン受付を行う（ステップＳ６５）。  処理選択部１１５は、続行ボタン１５２が選択されると（ステップＳ７０における「続行」）、ステップＳ１０へ戻り、終了ボタン１５１が選択されると（ステップＳ７０における「終了」）、処理を終了する。
【０１２９】
（２）他端末情報設定時の動作
ここでは、図１７に示すステップＳ３５における他端末情報設定の動作について、図１８に示す流れ図を用いて説明する。
他端末情報設定部１１４は、他端末情報入力画面１５３を表示部１０２に表示させる（ステップＳ１００）。他端末情報入力画面１５３において、他端末情報設定部１１４は、入力部１０１を介して、他端末ＩＤ、名前、配信先情報及び信頼度を受け付ける（ステップＳ１０５）。入力部１０１は、ボタン受付を行う（ステップＳ１１０）。
【０１３０】
登録ボタン１５８が選択された場合（ステップＳ１１５における「登録」）、他端末情報設定部１１４は、ユーザによって入力された他端末情報（他端末ＩＤ、名前、配信先情報及び信頼度）と、登録を指示する旨の情報登録命令とを、入力部１０１から受け取る。他端末情報設定部１１４は、受け取った他端末情報を、記憶部１０８の他端末情報テーブル１３１に書き込む（ステップＳ１２０）。また、他端末情報設定部１１４は、他端末情報設定の処理が終了した旨を示す設定終了命令を制御部１２０へ出力する。
【０１３１】
キャンセルボタン１５９が選択された場合には（ステップＳ１１５における「キャンセル」）、他端末情報設定部１１４は、入力部１０１から登録をキャンセルする旨の情報キャンセル命令を受け取り、ユーザにより入力された他端末情報を破棄し、ステップＳ１００へ戻る。
（３）コンテンツデータ生成時の動作
ここでは、図１７に示すステップＳ４５におけるコンテンツデータ生成の動作について、図１９に示す流れ図を用いて説明する。
【０１３２】
コンテンツ取得部１０７は、表示部１０２にコンテンツデータ生成画面１６０を表示させ（ステップＳ２００）、入力部１０１を介して、ボタン選択の受け付けを行う（ステップＳ２０５）。
「カメラによる生成」が選択された場合（ステップＳ２１０における「カメラによる生成」）、コンテンツ取得部１０７は、カメラ１０３にて撮影され、映像制御部１０６により圧縮された画像をコンテンツデータとして、映像制御部１０６から受け付ける（ステップＳ２１５）。コンテンツ取得部１０７は、記憶部１０８から自端末ＩＤの読み出しとシリアル番号の生成を行い（ステップＳ２３０）、読み出した自端末ＩＤと生成したシリアル番号からコンテンツＩＤを生成し（ステップＳ２３５）、受け取ったコンテンツデータとコンテンツＩＤとを対応付けて、記憶部１０８のコンテンツ情報１３２に書き込む（ステップＳ２４０）。
【０１３３】
「文字入力による生成」が選択された場合（ステップＳ２１０における「文字入力による生成」）、コンテンツ取得部１０７は、入力部１０１から文字データをコンテンツデータとして受け付ける（ステップＳ２２０）。コンテンツ取得部１０７は、記憶部１０８から自端末ＩＤの読み出しとシリアル番号の生成を行い（ステップＳ２３０）、読み出した自端末ＩＤと生成したシリアル番号からコンテンツＩＤを生成し（ステップＳ２３５）、受け取ったコンテンツデータとコンテンツＩＤとを対応付けて、記憶部１０８のコンテンツ情報１３２に書き込む（ステップＳ２４０）。
【０１３４】
「メモリカードからの読取」が選択された場合（ステップＳ２１０における「メモリカードからの読取」）、コンテンツ取得部１０７は、メモリカード５０からコンテンツデータの読取を行う（ステップＳ２２５）。コンテンツ取得部１０７は、記憶部１０８から自端末ＩＤの読み出しとシリアル番号の生成を行い（ステップＳ２３０）、読み出した自端末ＩＤと生成したシリアル番号からコンテンツＩＤを生成し（ステップＳ２３５）、読み出したコンテンツデータとコンテンツＩＤとを対応付けて、記憶部１０８のコンテンツ情報１３２に書き込む（ステップＳ２４０）。
【０１３５】
（３）コンテンツ処理時の動作
ここでは、図１７に示すステップＳ５５におけるコンテンツデータ生成の動作について、図２０に示す流れ図を用いて説明する。
配信コンテンツ選択部１１２は、記憶部１０８のコンテンツ情報１３２に格納されている最初のコンテンツデータ及びそのコンテンツＩＤの取得、又は受け付けたボタンによる指示に基づくコンテンツデータ及びそのコンテンツＩＤの取得を行う（ステップＳ３００）。
【０１３６】
配信コンテンツ選択部１１２は、取得したコンテンツＩＤに対応する配布可能信頼度閾値をコンテンツ閾値データテーブル１３９から取得する（ステップＳ３０５）。
配信コンテンツ選択部１１２は、取得した配布可能信頼度閾値に基づいて、コンテンツ選択画面を、表示部１０２に表示させる（ステップＳ３１０）。入力部１０１は、ボタン受付を行う（ステップＳ３１５）。
【０１３７】
前ボタン、または次ボタンが選択された場合（ステップＳ３２０における「前へ」又は「次へ」）、入力部１０１は、前移動命令又は次移動命令を、配信コンテンツ選択部１１２に出力する。配信コンテンツ選択部１１２は、前移動命令又は次移動命令を、入力部１０１から受け取ると、ステップＳ３００へ戻る。
選択ボタンが選択された場合（ステップＳ３２０における「選択」）、配信コンテンツ選択部１１２は、選択決定命令を、入力部１０１から受け取り、送信・保存・設定選択画面を表示部１０２に表示させる（ステップＳ３２５）。入力部１０１は、ボタン受付を行う（ステップＳ３３０）。
【０１３８】
保存ボタンが選択された場合（ステップＳ３３５における「保存」）、配信コンテンツ選択部１１２は、保存選択命令を入力部１０１から受け取り、保存処理を行う（ステップＳ３４０）。
設定ボタンが選択された場合（ステップＳ３３５における「設定」）、配信コンテンツ選択部１１２は、設定選択命令を入力部１０１から、受け取り、設定処理を行う（ステップＳ３４５）。
【０１３９】
送信ボタンが選択された場合（ステップＳ３３５の「送信」）、配信コンテンツ選択部１１２は、送信ボタンが押下されたことを示す送信選択命令を、入力部１０１から、受け取り、送信処理を行う（ステップＳ３５０）。
（４）保存処理の動作
ここでは、図２０に示すステップＳ３４０における保存処理の動作について、図２１に示す流れ図を用いて説明する。
【０１４０】
配信コンテンツ選択部１１２は選択されたコンテンツＩＤと保存データ生成命令とを配信データ生成部１１１へ出力する（ステップＳ４００）。
配信データ生成部１１１は、コンテンツＩＤと保存データ生成命令とを受け取ると、受け取ったコンテンツＩＤに対応するコンテンツ閾値データを、コンテンツ閾値データテーブル１３９から取得し、取得したコンテンツ閾値データを用いて保存時配信データを作成する（ステップＳ４０５）。配信データ生成部１１１は、生成した保存時生成データを配信処理部１１８へ出力する（ステップＳ４１０）。
【０１４１】
配信処理部１１８は、保存時生成データを配信データ生成部１１１から受け取ると、受け取った保存時生成データに含まれるコンテンツＩＤ、つまりユーザにて選択されたコンテンツＩＤに対応するコンテンツデータをコンテンツ情報１３２から読み出す（ステップＳ４１５）。
配信処理部１１８は、読み出したコンテンツデータと、受け取った保存時生成データとをメモリカード５０へ書き込む（ステップＳ４２０）。このとき、配信処理部１１８は、メモリカード５０への書き込み完了後、処理終了命令を、制御部１２０へ出力する。
【０１４２】
（５）設定処理の動作
ここでは、図２０に示すステップＳ３４５における設定処理の動作について、図２２に示す流れ図を用いて説明する。
配信コンテンツ選択部１１２は選択されたコンテンツＩＤと閾値データ生成命令とを配信条件設定部１１３へ出力する（ステップＳ５００）。
【０１４３】
配信条件設定部１１３は、選択されたコンテンツＩＤと閾値データ生成命令とを、配信コンテンツ選択部１１２から受け取ると、受け取ったコンテンツＩＤに含まれる端末ＩＤを取得する（ステップＳ５０５）。取得した端末ＩＤと自端末ＩＤとが一致するか否かを判断する（ステップＳ５１０）。
取得した端末ＩＤと自端末ＩＤが一致しないと判断する場合（ステップＳ５１０における「ＮＯ」）、配信条件設定部１１３は、表示部１０２に設定不可画面２２４を表示させる（ステップＳ５１５）。入力部１０１が終了ボタンを受け付けると、配信条件設定部１１３は、設定不可画面２２４の表示を終了させ、処理終了命令を制御部１２０へ出力する（ステップＳ５２０）。
【０１４４】
取得した端末ＩＤと自端末ＩＤとが一致すると判断する場合（ステップＳ５１０における「ＹＥＳ」）、配信条件設定部１１３は、選択されたコンテンツＩＤに対応するコンテンツデータを記憶部１０８のコンテンツ情報１３２から読み出し（ステップＳ５２５）、読み出したコンテンツデータを含む配信条件入力画面２２７を表示部１０２に表示させる（ステップＳ５３０）。
【０１４５】
配信条件設定部１１３は、入力部１０１を介して、コンテンツ閾値データの受付を行う（ステップＳ５３５）。入力部１０１は、ボタン受付を行う（ステップＳ５４０）。
登録ボタン２３４が選択された場合（ステップＳ５４５における「登録」）、配信条件設定部１１３は、受け付けたコンテンツ閾値データを、記憶部１０８のコンテンツ閾値データテーブル１３９へ書き込む（ステップＳ５５０）。このとき、配信条件設定部１１３は、コンテンツ閾値データテーブル１３９への書き込みを行った後、処理終了命令を制御部１２０へ出力する。
【０１４６】
キャンセルボタン２３５が選択された場合（ステップＳ５４５における「キャンセル」）、配信条件設定部１１３は、入力部１０１からキャンセルボタンが選択されたことを示す条件キャンセル命令を受け付けると、ユーザにより入力された各数値と削除し、ステップＳ５３０へ戻る。
（６）送信処理の動作
ここでは、図２０に示すステップＳ３５０における送信処理の動作について、図２３から図２６に示す流れ図を用いて説明する。
【０１４７】
配信コンテンツ選択部１１２は、配信先選択部１１６へ配信先設定命令を送る（ステップＳ６００）。
配信先選択部１１６は、記憶部１０８の他端末情報テーブル１３１から全ての他端末ＩＤを取得する（ステップＳ６０５）。配信先選択部１１６は、取得した全ての端末ＩＤそれぞれに対応する配信情報、信頼度及び名前を所定分数、表示部１０２に表示させる（ステップＳ６１０）。
【０１４８】
配信先選択部１１６は、入力部１０１を介して、ユーザより選択された配信先を受け付け、受け付けた配信先と、それに対応する他端末ＩＤを、ＩＤ記憶領域に一時的に記憶する（ステップＳ６１３）。入力部１０１は、ボタンの受付を行う（ステップＳ６１５）。
次ボタン２４２が選択された場合（ステップＳ６２０における「次へ」）、配信先選択部１１６は、次表示命令を入力部１０１から受け取り、ステップＳ６１０へ戻り、未表示である、配信先情報、名前、信頼度からなる１以上の組を所定数分、配信先選択画面２４０を用いて、表示部１０２に表示させる。
【０１４９】
ＯＫボタン２４１が選択された場合（ステップＳ６２０における「ＯＫ」）、配信先選択部１１６は、ＩＤ記憶領域に記憶している１以上の配信先に含まれる名前を含む配信先確認画面２４３を、表示部１０２に表示させる（ステップＳ６２５）。入力部１０１は、ボタンの受付を行う（ステップＳ６３０）。
キャンセルボタン２４５が選択された場合（ステップＳ６３５における「キャンセル」）、配信先選択部１１６は、配信先キャンセル命令を入力部１０１から受け取り、処理終了命令を制御部１２０に出力し、送信処理を終了する。
【０１５０】
ＯＫボタン２４４が選択された場合（ステップＳ６３５の「ＯＫ」）、配信先選択部１１６は、送信先確定命令を入力部１０１から受け付け、選択された１以上の他端末ＩＤを配信データ生成部１１１へ出力する（ステップＳ６４０）。
配信データ生成部１１１は、受け取った１以上の他端末ＩＤの中から１の他端末ＩＤを取得する（ステップＳ６４５）。
【０１５１】
配信コンテンツ選択部１１２は、選択されたコンテンツＩＤをデータ加工部１１０と配信データ生成部１１１へ出力する（ステップＳ６５０）。
配信データ生成部１１１は、記憶部１０８のコンテンツ閾値データテーブル１３９から、選択されたコンテンツＩＤに対応するコンテンツ閾値データを読み出す（ステップＳ６５５）。
【０１５２】
配信データ生成部１１１は、取得した１の他端末ＩＤに対応する他端末情報に含まれる信頼度を、他端末情報テーブル１３１から取得する（ステップＳ６６０）。
配信データ生成部１１１は、読み出したコンテンツ閾値データに含まれる配布可能許可世代数から１を引き、その結果を値Ｆとする（ステップＳ６６５）。
配信データ生成部１１１は、値Ｆが１以上であるか否かを判断する（ステップＳ６７０）。
【０１５３】
値Ｆが１以上でないと判断する場合（ステップＳ６７０における「ＮＯ」）、配信データ生成部１１１は、表示部１０２に送信不可画面２５２を表示させる（ステップＳ６７５）。終了ボタン２５３の受付を行う（ステップＳ６８０）。入力部１０１にて終了ボタン２５３が受け付けられると、配信データ生成部１１１は、処理終了命令を制御部１２０へ出力して、送信処理の動作を終了する。
【０１５４】
値Ｆが１以上であると判断する場合（ステップＳ６７０におけるＹＥＳ）、配信データ生成部１１１は、読み出したコンテンツ閾値データに含まれる配布可能信頼度閾値が“９９”であるか否かを判断する（ステップＳ６８５）。
配布可能信頼度閾値が“９９”であると判断する場合（ステップＳ６８５における「ＹＥＳ」）、配信データ生成部１１１は、表示部１０２に送信不可画面２５２を表示させる（ステップＳ６７５）。入力部１０１は、終了ボタン２５３の受付を行う（ステップＳ６８０）。入力部１０１にて終了ボタン２５３が受け付けられると、配信データ生成部１１１は、処理終了命令を制御部１２０へ出力して、送信処理の動作を終了する。
【０１５５】
配布可能信頼度閾値が“９９”でないと判断する場合（ステップＳ６８５における「ＮＯ」）、配信データ生成部１１１は、取得した信頼度が配布可能信頼度閾値以上であるか否かを判断する（ステップＳ６９０）。
信頼度が配布可能信頼度閾値以上であると判断する場合（ステップＳ６９０における「ＹＥＳ」）、配信データ生成部１１１は、値Ａ（＝（配布可能信頼度閾値）／（信頼度））を算出し（ステップＳ６９５）、信頼度が配布可能信頼度閾値以上でないと判断する場合（ステップＳ６９０における「ＮＯ」）、配信データ生成部１１１は、値Ａに“９９”を設定する（ステップＳ７００）。
【０１５６】
データ加工部１１０は、記憶部１０８のコンテンツ情報１３２から、選択されたコンテンツＩＤに対応するコンテンツデータを取得する（ステップＳ７０５）。データ加工部１１０は、取得したコンテンツデータを一時的に記憶する。
配信データ生成部１１１は、値Ｂ（＝（カラー表示可能信頼度閾値）／（信頼度））を算出し（ステップＳ７１０）、算出した値Ｂが１以下であるか否かを判断する（ステップＳ７１５）。値Ｂが１以下であると判断する場合（ステップＳ７１５における「ＹＥＳ」）、配信データ生成部１１１は、値Ｃ（＝（編集可能信頼度閾値）／（信頼度））を算出する（ステップＳ７３０）。値Ｂが１以下でないと判断する場合（ステップＳ７１５における「ＮＯ」）、配信データ生成部１１１は、値Ｂに“９９”を設定する（ステップＳ７２０）。次に、配信データ生成部１１１は、２値画像処理命令をデータ加工部１１０へ出力する。データ加工部１１０は、２値画像処理命令を配信データ生成部１１１から受け取ると、一時的に記憶しているコンテンツデータに２値画像処理を施し、２値画像処理が施されたコンテンツデータを、再度、コンテンツデータとして一時的に記憶する（ステップＳ７２５）。その後、配信データ生成部１１１は、ステップＳ７３０を行う。
【０１５７】
配信データ生成部１１１は、算出した値Ｃが１以下であるか否かを判断する（ステップＳ７３５）。値Ｃが１以下であると判断する場合（ステップＳ７３５における「ＹＥＳ」）、配信データ生成部１１１は、値Ｄ（＝（オリジナル画像表示可能信頼度閾値）／（信頼度））を算出する（ステップＳ７５０）。値Ｃが１以下でないと判断する場合（ステップＳ７３５における「ＮＯ」）、配信データ生成部１１１は、値Ｃに“９９”を設定する（ステップＳ７４０）。次に、配信データ生成部１１１は、編集不可命令をデータ加工部１１０へ出力する。データ加工部１１０は、編集不可命令を配信データ生成部１１１から受け取ると、一時的に記憶しているコンテンツデータを編集不可に設定し、編集不可に設定されたコンテンツデータを、再度、コンテンツデータとして一時的に記憶する（ステップＳ７４５）。その後、配信データ生成部１１１は、ステップＳ７５０を行う。
【０１５８】
配信データ生成部１１１は、算出した値Ｄが１以下であるか否かを判断する（ステップＳ７５５）。値Ｄが１以下であると判断する場合（ステップＳ７５５における「ＹＥＳ」）、配信データ生成部１１１は、値Ｅ（＝（保存許可信頼度閾値）／（信頼度））を算出する（ステップＳ７７０）。値Ｄが１以下でないと判断する場合（ステップＳ７５５における「ＮＯ」）、配信データ生成部１１１は、値Ｄに“９９”を設定する（ステップＳ７６０）。次に、配信データ生成部１１１は、画像縮小命令をデータ加工部１１０へ出力する。データ加工部１１０は、画像縮小命令を配信データ生成部１１１から受け取ると、一時的に記憶しているコンテンツデータを縮小し、縮小されたコンテンツデータを、再度、コンテンツデータとして一時的に記憶する（ステップＳ７６５）。その後、配信データ生成部１１１は、ステップＳ７７０を行う。
【０１５９】
配信データ生成部１１１は、算出した値Ｅが１以下であるか否かを判断する（ステップＳ７７５）。
値Ｅが１以下であると判断する場合（ステップＳ７７５における「ＹＥＳ」）、配信データ生成部１１１は、取得した１の他端末ＩＤに対応する他端末情報に含まれる配信先情報を取得し、値Ａ、Ｂ、Ｃ、Ｄ、Ｅ及びＦと、選択されたコンテンツＩＤと、他端末ＩＤと、取得した配信先情報とを用いて、配信時生成データを生成する（ステップＳ７９０）。
【０１６０】
配信データ生成部１１１は、データ生成完了命令をデータ加工部１１０へ出力する。データ加工部１１０は、配信データ生成部１１１からデータ生成完了命令を受け取ると、一時的に記憶しているコンテンツデータを配信処理部１１８へ出力する（ステップＳ７９５）。
配信データ生成部１１１は、生成した配信時生成データと、配信命令とを配信処理部１１８へ出力する（ステップＳ８００）。
【０１６１】
配信処理部１１８は、データ加工部１１０からコンテンツデータを、配信データ生成部１１１から配信時生成データと配信命令とを、それぞれ受け取る。配信処理部１１８は、受け取った配信時生成データに含まれる端末ＩＤに対応する他端末情報に含まれる名前を取得する（ステップＳ８０５）。
配信処理部１１８は、受け取ったコンテンツデータと、配信時生成データと、取得した名前とを含む配信時確認画面２５８を、表示部１０２に表示させる（ステップＳ８１０）。入力部１０１は、ボタン受付を行う（ステップＳ８１５）。
【０１６２】
送信ボタン２６８が選択された場合（ステップＳ８２０における「送信」）、配信処理部１１８は、入力部１０１から配信実行命令を受け取り、コンテンツデータと配信時生成データとを、配信先の情報に基づいて送信する（ステップＳ８２５）。
次に、配信処理部１１８は、次データ生成命令を配信データ生成部１１１へ出力する。配信データ生成部１１１は、配信処理部１１８から次データ生成命令を受け取ると、配信先選択部１１６より受け取った１以上の他端末ＩＤのうち未取得の他端末ＩＤが存在するか否かを判断する（ステップＳ８３０）。存在すると判断する場合には（ステップＳ８３０における「ＹＥＳ」）、配信データ生成部１１１は、１以上の他端末ＩＤから未取得の他端末ＩＤを１つ取得し（ステップＳ８３５）、ステップＳ６６０へ戻る。存在しないと判断する場合には（ステップＳ８３０における「ＮＯ」）、配信データ生成部１１１は、処理終了命令を制御部１２０へ出力して、送信処理の動作を終了する。
【０１６３】
キャンセルボタン２６９が選択された場合（ステップＳ８２０における「キャンセル」）、配信処理部１１８は、入力部１０１から配信キャンセル命令を受け取り、次データ生成命令を配信データ生成部１１１へ出力し、ステップＳ８３０へ移る。
値Ｅが１以下でないと判断する場合（ステップＳ７７５における「ＮＯ」）、配信データ生成部１１１は、値Ｅに“９９”を設定する（ステップＳ７８０）。次に、配信データ生成部１１１は、保存不可設定命令をデータ加工部１１０へ出力する。データ加工部１１０は、保存不可設定命令を配信データ生成部１１１から受け取ると、一時的に記憶しているコンテンツデータを保存不可に設定し、再度、コンテンツデータとして一時的に記憶する（ステップＳ７８５）。その後、配信データ生成部１１１は、ステップＳ７９０以降を行う。
【０１６４】
（７）送信処理の変形例
図２３から図２６にて示す送信処理では、ステップＳ６９０にて配布可能信頼度閾値と信頼度とを比較し、比較結果に基づいて、ステップＳ６９５にて値Ａの算出、又はステップＳ７００にて値Ａに“９９”を設定したが、これに限定されない。
値Ａを算出後、算出した値Ａに基づいて、“９９”を設定するか否かを判断してもよい。
【０１６５】
以下に、その動作について、図２７に示す流れ図を用いて説明する。
配信データ生成部１１１は、ステップＳ６８５を実行後、配布可能信頼度閾値が“９９”であると判断する場合（ステップＳ６８５における「Ｙｅｓ」）、配信データ生成部１１１は、表示部１０２に送信不可画面２５２を表示させる（ステップＳ６７５）。入力部１０１は、終了ボタン２５３の受付を行う（ステップＳ６８０）。入力部１０１にて終了ボタン２５３が受け付けられると、配信データ生成部１１１は、処理終了命令を制御部１２０へ出力して、送信処理の動作を終了する。
【０１６６】
配布可能信頼度閾値が“９９”でないと判断する場合（ステップＳ６８５における「ＮＯ」）、配信データ生成部１１１は、値Ａ（＝（配布可能信頼度閾値）／（信頼度））を算出し（ステップＳ８５０）、算出した値Ａが１以下であるか否かを判断する（ステップＳ８５５）。
値Ａが１以下であると判断する場合（ステップＳ８５５における「ＹＥＳ」）、ステップＳ７０５以降が行われる。
【０１６７】
値Ａが１以下でないと判断する場合には（ステップＳ８５５における「ＮＯ」）、配信データ生成部１１１は、値Ａに“９９”を設定する（ステップＳ８６０）。その後、ステップＳ７０５以降が行われる。
１．４  配信時生成データの具体例
ここでは、図１に示すネットワーク図に基づいて、携帯端末１０から、コンテンツＩＤが“１０００−４００”であるコンテンツデータが配信される場合において、携帯端末２１から２４、３１から３７に対して生成される配信時生成データ又は保存時生成データに含まれる各閾値の具体例を図２８に示すテーブルＴ１００に記述する。
【０１６８】
携帯端末２２は、ＰＣ端末３１、携帯端末３２、ＰＣ端末３３のそれぞれに対する信頼度“０．９”、“０．８”、“０．５”を記憶し、携帯端末２３は、携帯端末３４、ＰＣ端末３５、ＰＣ端末３６のそれぞれに対する信頼度“０．５”、“０．６”、“０．６”を記憶し、ＰＣ端末２４は、携帯端末３７に対する信頼度“０．２”を記憶しているものとする。
【０１６９】
例えば、携帯端末１０は、携帯端末２１の信頼度“０．１”を記憶している。この場合、コンテンツＩＤ“１０００−４００”に対応するコンテンツ閾値データ１４７に含まれる各閾値と、信頼度“０．１”と用いて計算される各値（Ａ、Ｂ、Ｃ、Ｄ、Ｅ）は全て“９９”となるので、配信時生成データに含まれる各閾値も全て“９９”が設定されることになる。
【０１７０】
また、ＰＣ端末２４は、上述したようにメモリカード５０を介して、コンテンツＩＤが“１０００−４００”であるコンテンツデータを取得する。そのため、ＰＣ端末２４に対する保存時生成データに含まれる各閾値は、コンテンツ閾値データに含まれる各閾値のそれぞれと同一となる。
また、図２９は、コンテンツＩＤが“１０００−４００”であるコンテンツデータに対する配布可能信頼度閾値の推移を示す図である。なお、携帯端末１０以外のユーザ端末は、携帯端末１０が備える配信データ生成部１１１を備えており、また、配信先のユーザ端末に対する信頼度も記憶している。他のユーザ端末の構成については、後述する。
【０１７１】
例えば、携帯端末１０は、携帯端末２１の信頼度“０．１”を記憶している。この場合、コンテンツＩＤ“１０００−４００”に対応するコンテンツ閾値データ１４７に含まれる各閾値と、信頼度“０．１”と用いて計算される値Ａは、“９９”となるので、コンテンツＩＤが“１０００−４００”であるコンテンツデータは携帯端末２１に配信される場合には、その二次配布可能信頼度として“９９”が配信されることになる。携帯端末２１では、配信された二次配布可能信頼度“９９”を、コンテンツＩＤ“１０００−４００”に対応するコンテンツ閾値データ１４７に、配布可能信頼度として設定する。よって、携帯端末２１では、以降、コンテンツＩＤが“１０００−４００”であるコンテンツデータは他のユーザ端末には配信できない。
【０１７２】
また、図２９にて示すように、コンテンツデータがネットワークを介して配信される場合には、その配布可能閾値は、増加していることが分かる。従って、ネットワークを介して配信を繰り返すと、最終的には値“９９”が配布可能閾値に設定されることになるので、コンテンツデータの二次配布を無制限に繰り返すことを防ぐことができる。
また、図３０は、コンテンツＩＤが“１０００−４００”であるコンテンツデータが配信された場合に、各ユーザ端末と、配布されたコンテンツデータに設定された内容との関係を示す図である。
【０１７３】
例えば、ＰＣ端末３６では、コンテンツＩＤが“１０００−４００”であるコンテンツデータが配信されると、配信されたコンテンツデータは、二次配布、カラー表示、及びオリジナル表示は可能であるが、保存及び編集は不可であることを示している。
また、携帯端末３７は、全ての項目に対して不可となっている。つまり、コンテンツ閾値データに含まれる各閾値には、“９９”が設定されていることになる。
１．５  携帯端末２２の構成
ここでは、携帯端末２２の構成について説明する。
【０１７４】
携帯端末２２は、携帯端末１０と異なる点は、カメラとメモリカードが構成要素に含まれないことである。
そこで、携帯端末２２の構成要素を、携帯端末１０の構成要素の符号を用いて、図３１に示す。
携帯端末２２は、図３１に示すように、入力部１０１、表示部１０２、スピーカ１０４、マイク１０５、映像制御部１０６、コンテンツ取得部１０７、記憶部１０８、データ加工部１１０、配信データ生成部１１１、配信コンテンツ選択部１１２、配信条件設定部１１３、他端末情報設定部１１４、処理選択部１１５、配信先選択部１１６、受信処理部１１７、配信処理部１１８、通信部１１９、制御部１２０及びアンテナ１２１から構成されている。
【０１７５】
携帯端末２２は、具体的には、マイクロプロセッサ、ＲＯＭ、ＲＡＭ、ハードディスクユニット、ディスプレィユニット、キーボードなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、携帯端末２２は、その機能を達成する。ここで、コンピュータプログラムは、所定の機能を達成するために、コンピュータに対する指令を示す命令コードが複数個組み合わされて構成されたものである。
【０１７６】
なお、制御部１２０及び入力部１０１と、他の構成要素との接続関係については、図面上、煩雑になるので、接続線は省略している。
また、各構成要素は、携帯端末１０の構成において説明しているので、ここでの説明は省略する。ここで、携帯端末２２は、カメラとメモリカードを備えていないので、コンテンツデータの生成において、カメラによる生成及びメモリカードからの読み取りは行えない。さらに、携帯端末２２は記憶しているコンテンツデータをメモリカードに保存できない。
【０１７７】
なお、他の携帯端末２１、２３、３２、３４、４３、４５、及び４８の構成要素は、携帯端末１０の構成要素又は携帯端末２２の構成要素の何れかと同一である。そのため、ここでの説明は省略する。
１．６  ＰＣ端末２４
ここでは、ＰＣ端末２４の構成について説明する。
【０１７８】
ＰＣ端末２４は、携帯端末１０と異なる点は、配信データ生成部と、通信部との動作が異なり、アンテナが構成要素に含まれない。
そこで、ＰＣ端末２４の構成要素を、携帯端末１０と同一の構成要素については、携帯端末の構成要素の符号を用いて、図３２に示す。
ＰＣ端末２４は、入力部１０１、表示部１０２、カメラ１０３、スピーカ１０４、マイク１０５、映像制御部１０６、コンテンツ取得部１０７、記憶部１０８、データ加工部１１０、配信データ生成部１１１、配信コンテンツ選択部１１２ａ、配信条件設定部１１３、他端末情報設定部１１４、処理選択部１１５、配信先選択部１１６、受信処理部１１７、配信処理部１１８、通信部１１９ａ、制御部１２０、及びメモリカード５０から構成されている。
【０１７９】
ＰＣ端末２４は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、ＰＣ端末２４は、その機能を達成する。ここで、コンピュータプログラムは、所定の機能を達成するために、コンピュータに対する指令を示す命令コードが複数個組み合わされて構成されたものである。
【０１８０】
なお、制御部１２０及び入力部１０１と、他の構成要素との接続関係については、図面上、煩雑になるので、接続線は省略している。
携帯端末１０と同一の構成要素については、ここでの説明は省略する。
また、ここでは、記憶部１０８には、コンテンツＩＤ“２４００−１００”、“３７００−１００”、“２４００−２００”、及び“１０００−４００”のそれぞれに対応するコンテンツデータが記憶されており、コンテンツＩＤ“３７００−１００”、及び“２４００−２００”のそれぞれのコンテンツ閾値データに含まれる配布可能信頼度閾値には“９９”が設定されているものとする。
（１）配信コンテンツ選択部１１２ａ
ここでは、配信コンテンツ選択部１１２と異なる点を中心に説明する。
【０１８１】
配信コンテンツ選択部１１２と異なる点は、表示部１０２に表示されるコンテンツ選択画面が異なる。
配信コンテンツ選択部１１２ａは、表示部１０２に表示させるコンテンツ選択画面６００を、図３３に示す。
コンテンツ選択画面６００には、コンテンツデータ、コンテンツＩＤ、選択ボタン又は選択不可表示からなる組が所定数分、含まれる。選択ボタンは、表示されているコンテンツデータに対する配布可能信頼度閾値が０以上１以下の場合に表示され、選択不可表示は、表示されているコンテンツデータに対する配布可能信頼度閾値が９９の場合に表示される。ここでは、コンテンツＩＤ“３７００−１００”、及び“２４００−２００”のそれぞれのコンテンツ閾値データに含まれる配布可能信頼度閾値には“９９”が設定されているので、これらに対するコンテンツデータは選択不可表示がされる。
【０１８２】
コンテンツ選択画面６００において、１のコンテンツデータが選択された場合には、配信コンテンツ選択部１１２ａは、選択されたコンテンツデータ及びコンテンツＩＤを含む送信・保存・設定選択画面６０５を表示部１０２に表示させる。送信・保存・設定選択画面６０５は、携帯端末１０にて表示される送信・保存・設定選択画面２１９と同様であるため、説明は省略する。
【０１８３】
また、以降の動作は、配信コンテンツ選択部１１２と同様であるため、説明は省略する。
（２）通信部１１９ａ
通信部１１９ａは、ネットワーク（例えば、インターネット）を介して、他のユーザ端末と通信を行う。
２．第２の実施の形態
２．１  情報流通システム２の概要
ここでは、情報流通システム２（図示せず）について、情報流通システム１と異なる点を中心に説明する。
【０１８４】
情報流通システム２の構成は、情報流通システム１と同様である。
情報流通システム１では、コンテンツデータを配信する際に、配信元のユーザ端末で、二次配布に係る閾値を算出し、コンテンツデータと算出した閾値とを配信先のユーザ端末に送信したが、情報流通システム２では、二次配布に係る閾値を、配信先のユーザ端末にて算出する。
【０１８５】
この点において、情報流通システム２は、情報流通システム１とは異なる。
以下において、情報流通システム２の構成するユーザ端末を代表して、携帯端末２２ｂの構成及び動作について、説明する。
なお、情報流通システム２の構成する他のユーザ端末も、携帯端末２２ｂと同様の構成要素を有しているので、ここでの説明は省略する。
２．２  携帯端末２２ｂの構成
ここでは、携帯端末２２ｂについて、第１の実施の形態にて示す携帯端末１０と異なる点を中心に説明する。
【０１８６】
そこで、携帯端末２２ｂの構成要素のうち、携帯端末１０の構成要素と同様のものについては、携帯端末１０で使用した符号を用いて、図３４に示す。
携帯端末２２ｂは、入力部１０１ｂ、表示部１０２ｂ、カメラ１０３、スピーカ１０４、マイク１０５、映像制御部１０６、コンテンツ取得部１０７、記憶部１０８、データ加工部１１０ｂ、配信データ生成部１１１ｂ、配信コンテンツ選択部１１２ｂ、配信条件設定部１１３、他端末情報設定部１１４、処理選択部１１５、配信先選択部１１６、受信処理部１１７ｂ、配信処理部１１８ｂ、通信部１１９、制御部１２０、閾値データ生成部１２５ｂ、アンテナ１２１及びメモリカード５０から構成されている。
【０１８７】
携帯端末２２ｂは、具体的には、マイクロプロセッサ、ＲＯＭ、ＲＡＭ、ハードディスクユニット、ディスプレィユニット、キーボードなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、携帯端末２２ｂは、その機能を達成する。ここで、コンピュータプログラムは、所定の機能を達成するために、コンピュータに対する指令を示す命令コードが複数個組み合わされて構成されたものである。
【０１８８】
なお、制御部１２０及び入力部１０１と、他の構成要素との接続関係については、図面上、煩雑になるので、接続線は省略している。
以下、携帯端末１０とは構成要素が異なる入力部１０１ｂ、表示部１０２ｂ、データ加工部１１０ｂ、配信データ生成部１１１ｂ、配信コンテンツ選択部１１２ｂ、受信処理部１１７ｂ、配信処理部１１８ｂ、及び閾値データ生成部１２５ｂについて説明する。
【０１８９】
なお、以下の説明において、必要があれば、第１の実施の形態において用いた符号を用いて説明する。
（１）受信処理部１１７ｂ
受信処理部１１７ｂは、通信部１１９を介して他のユーザ端末から、図３５にて示すように、コンテンツ信頼度・閾値データ６５１と、コンテンツデータ６５２とからなる配信データ６５０を受け取る。
【０１９０】
受信処理部１１７ｂは、受け取った配信データ６５０をコンテンツ信頼度・閾値データ６５１と、コンテンツデータ６５２とに分離し、分離したコンテンツ信頼度・閾値データ６５１を閾値データ生成部１２５ｂに出力する。受信処理部１１７ｂは、分離したコンテンツデータ６５２と、コンテンツ信頼度・閾値データ６５１に含まれるコンテンツＩＤとをデータ加工部１１０ｂに出力する。
【０１９１】
ここで、コンテンツ信頼度・閾値データ６５１の一例を図３６に示す。
コンテンツ信頼度・閾値データ６５１は、図３６に示すように、コンテンツＩＤ、配布可能信頼度閾値、保存可能信頼度閾値、オリジナル画像表示可能信頼度閾値、編集可能信頼度閾値、カラー表示可能信頼度閾値、信頼度、及び配布可能許可世代数から構成されている。
【０１９２】
コンテンツＩＤは、受信したコンテンツデータに対応付けられた識別子である。
配布可能信頼度閾値、保存可能信頼度閾値、オリジナル画像表示可能信頼度閾値、編集可能信頼度閾値、カラー表示可能信頼度閾値、及び配布可能許可世代数は、第１の実施の形態にて示したコンテンツ閾値データに含まれる各閾値と同様であるため、ここでの説明は省略する。
【０１９３】
信頼度は、コンテンツデータの配信元であるユーザ端末が記憶している自装置（携帯端末２２ｂ）に対する信頼を示す数値である。
例えば、図３６にて示すコンテンツ信頼度・閾値データ６５３は、コンテンツＩＤ“１０００−４００”に対するデータであり、自装置に対する信頼度“０．９”であることを示している。
【０１９４】
（２）閾値データ生成部１２５ｂ
閾値データ生成部１２５ｂは、受信処理部１１７ｂからコンテンツ信頼度・閾値データを受け取る。
閾値データ生成部１２５ｂは、コンテンツ信頼度・閾値データに含まれる配布可能許可世代数を取得し、取得した配布可能許可世代数を用いて、値Ｆ（＝配布可能許可世代数−１）を算出する。閾値データ生成部１２５ｂは、算出した値Ｆが１以上であるか否かを判断する。
【０１９５】
値Ｆが１以上でないと判断する場合には、閾値データ生成部１２５ｂは、コンテンツデータの表示の禁止を示す表示禁止命令をデータ加工部１１０ｂに出力する。
値Ｆが１以上であると判断する場合には、閾値データ生成部１２５ｂは、コンテンツ信頼度・閾値データに含まれる配布可能信頼度閾値と信頼度とを用いて、値Ａ（＝（配布可能信頼度閾値）／（信頼度））を算出し、算出した値Ａが１以下であるか否かを判断する。
【０１９６】
値Ａが１以下でないと判断する場合には、閾値データ生成部１２５ｂは、値Ａに“９９”を設定する。値Ａが１以下であると判断する場合には、閾値データ生成部１２５ｂは、値Ａの変更は行わない。
さらに、閾値データ生成部１２５ｂは、カラー表示可能信頼度閾値と信頼度とを用いて、値Ｂ（＝（カラー表示可能信頼度閾値）／（信頼度））を算出し、算出した値Ｂが１以下であるか否かを判断する。
【０１９７】
値Ｂが１以下でないと判断する場合には、閾値データ生成部１２５ｂは、値Ｂに“９９”を設定し、データ加工部１１０ｂへ２値画像処理命令を出力する。
値Ｂが１以下であると判断する場合には、閾値データ生成部１２５ｂは、編集可能信頼度閾値と信頼度とを用いて、値Ｃ（＝（編集可能信頼度閾値）／（信頼度））を算出し、算出した値Ｃが１以下であるか否かを判断する。
【０１９８】
値Ｃが１以下でないと判断する場合には、閾値データ生成部１２５ｂは、値Ｃに“９９”を設定し、データ加工部１１０ｂへ編集不可設定命令を出力する。
値Ｃが１以下であると判断する場合には、閾値データ生成部１２５ｂは、オリジナル画像表示可能信頼度閾値と信頼度とを用いて、値Ｄ（＝（オリジナル画像表示可能信頼度閾値）／（信頼度））を算出し、算出した値Ｄが１以下であるか否かを判断する。
【０１９９】
値Ｄが１以下でないと判断する場合には、閾値データ生成部１２５ｂは、値Ｄに“９９”を設定し、データ加工部１１０へ画像縮小命令を出力する。
値Ｄが１以下であると判断する場合には、閾値データ生成部１２５ｂは、保存可能信頼度閾値と信頼度とを用いて、値Ｅ（＝（保存可能信頼度閾値）／（信頼度））を算出し、算出した値Ｅが１以下であるか否かを判断する。
【０２００】
値Ｅが１以下でないと判断する場合には、閾値データ生成部１２５ｂは、値Ｅに“９９”を設定し、データ加工部１１０へ保存不可設定命令を出力する。
値Ｅが１以下であると判断する場合には、閾値データ生成部１２５ｂは、算出した各値（Ａ、Ｂ、Ｃ、Ｄ、Ｅ、Ｆ）と、コンテンツ信頼度・閾値データに含まれるコンテンツＩＤとを用いて、コンテンツ閾値データを生成する。なお、コンテンツ閾値データについては、第１の実施の形態にて説明しているので、ここでの説明は省略する。
【０２０１】
閾値データ生成部１２５ｂは、コンテンツ閾値データを生成が完了した旨の閾値データ生成完了命令をデータ加工部１１０ｂへ出力する。
閾値データ生成部１２５ｂは、データ加工部１１０ｂからコンテンツ閾値データの書き込みを指示する書込命令を受け取ると、生成したコンテンツ閾値データを記憶部１０８のコンテンツ閾値データテーブル１３９へ書き込む。
【０２０２】
閾値データ生成部１２５ｂは、データ加工部１１０ｂからコンテンツ閾値データの破棄を指示する破棄命令を受け取ると、生成したコンテンツ閾値データを破棄する。
例えば、図３７にて示すコンテンツ閾値データ６６１は、図３６にて示すコンテンツ信頼度・閾値データ６５３の各数値を用いて、生成された結果を示す。
（３）データ加工部１１０ｂ
データ加工部１１０ｂは、受信処理部１１７ｂから、コンテンツデータとコンテンツＩＤとを受け取ると、受け取ったコンテンツデータとコンテンツＩＤとを、一時的に記憶する。
【０２０３】
データ加工部１１０ｂは、閾値データ生成部１２５ｂから、表示禁止命令を受け取ると、コンテンツ表示不可画面６５５を表示部１０２ｂに表示させる。
コンテンツ表示不可画面６５５は、図３８に示すように、コンテンツデータの表示が不可であることを示すメッセージ“表示不可”６５６と、ＯＫボタン６５７とから構成されている。ＯＫボタン６５７は、コンテンツ表示不可画面６５５の表示を終了する場合に選択される。
【０２０４】
コンテンツ表示不可画面６５５において、データ加工部１１０ｂは、入力部１０１ｂを介して、ＯＫボタン６５７の選択を受け付けると、表示部１０２ｂにコンテンツ表示不可画面６５５の表示を終了させ、受信処理部１１７ｂより受け取ったコンテンツデータとコンテンツＩＤとを削除し、破棄命令を閾値データ生成部１２５ｂに出力する。
データ加工部１１０ｂは、閾値データ生成部１２５ｂから２値画像処理命令を受け取ると、一時的に記憶しているコンテンツデータに２値画像処理を施し、２値画像処理が施されたコンテンツデータを、再度、コンテンツデータとし、一時的に記憶する。
【０２０５】
データ加工部１１０ｂは、閾値データ生成部１２５ｂから編集不可設定命令を受け取ると、一時的に記憶しているコンテンツデータを編集不可に設定し、編集不可が設定されたコンテンツデータを、再度、コンテンツデータとして、一時的に記憶する。
データ加工部１１０ｂは、閾値データ生成部１２５ｂから画像縮小命令を受け取ると、一時的に記憶しているコンテンツデータを縮小し、縮小したコンテンツデータを、再度、コンテンツデータとして、一時的に記憶する。
【０２０６】
データ加工部１１０ｂは、閾値データ生成部１２５ｂから保存不可設定命令を受け取ると、一時的に記憶しているコンテンツデータを保存不可に設定し、保存不可が設定されたコンテンツデータを、再度、コンテンツデータとして、一時的に記憶する。
データ加工部１１０ｂは、閾値データ生成完了命令を、配信データ生成部１１１から受け取ると、一時的に記憶しているコンテンツデータを含むコンテンツ表示画面６５８を表示部１０２ｂに表示させる。なお、コンテンツ表示画面６５８にて表示されるコンテンツデータは、映像制御部１０６にて伸張されたコンテンツデータである。
【０２０７】
コンテンツ表示画面６５８は、図３９にて示すように、コンテンツデータと表示終了ボタン６５９とから構成されている。表示終了ボタン６５９は、コンテンツ表示画面６５８の表示を終了する際に選択される。
コンテンツ表示画面６５８において、データ加工部１１０ｂは、入力部１０１ｂを介して、表示終了ボタン６５９の選択を受け付けると、表示部１０２ｂにコンテンツ表示画面６５８の表示を終了させる。データ加工部１１０ｂは、コンテンツデータに保存不可が設定されているか否かを判断する。
【０２０８】
保存不可が設定されていると判断する場合には、データ加工部１１０ｂは一時的に記憶しているコンテンツデータとコンテンツＩＤとを削除し、破棄命令を閾値データ生成部１２５ｂへ出力する。
保存不可が設定されていないと判断する場合には、データ加工部１１０ｂは一時的に記憶しているコンテンツデータとコンテンツＩＤとを対応付けて記憶部１０８のコンテンツ情報１３２に書き込み、書込命令を閾値データ生成部１２５ｂへ出力する。
【０２０９】
（４）配信データ生成部１１１ｂ
配信データ生成部１１１ｂは、コンテンツ信頼度・閾値データ、及び第１の実施の形態にて示す保存時生成データの生成を行う。
保存時生成データの生成については、第１の実施の形態と同様であるので、ここでの説明は省略する。
【０２１０】
以下、コンテンツ信頼度・閾値データの生成について説明する。
配信データ生成部１１１ｂは、配信コンテンツ選択部１１２から、ユーザにより選択されたコンテンツＩＤを受け取ると、受け取ったコンテンツＩＤに対応するコンテンツ閾値データを、記憶部１０８のコンテンツ閾値データテーブル１３９から取得する。
配信データ生成部１１１ｂは、選択された１以上の他端末ＩＤを配信先選択部１１６から受け取ると、受け取った１以上の他端末ＩＤのうち１の他端末ＩＤを取得する。
【０２１１】
配信データ生成部１１１ｂは、読み出したコンテンツ閾値データに含まれる配布可能信頼度閾値が“９９”であるか否かを判断する。
配布可能信頼度閾値が“９９”であると判断する場合、配信データ生成部１１１ｂは、表示部１０２ｂに送信不可画面２５２を表示させる。配信データ生成部１１１ｂは、入力部１０１ｂから表示終了命令を受け取ると、処理終了命令を制御部１２０へ出力して、動作を終了する。
【０２１２】
配布可能信頼度閾値が“９９”でないと判断する場合、配信データ生成部１１１ｂは、取得した１の他端末ＩＤに対応する他端末情報に含まれる信頼度を、他端末情報テーブル１３１から取得する。
配信データ生成部１１１ｂは、取得した信頼度と、コンテンツ閾値データとからコンテンツ信頼度・閾値データを生成し、生成したコンテンツ信頼度・閾値データと１の他端末ＩＤとを配信処理部１１８ｂへ出力する。
【０２１３】
配信データ生成部１１１ｂは、配信処理部１１８から次データ生成命令を受け取ると、配信先選択部１１６より受け取った１以上の他端末ＩＤのうち未取得の他端末ＩＤが存在するか否かを判断する。存在すると判断する場合には、配信データ生成部１１１ｂは、１以上の他端末ＩＤから未取得の他端末ＩＤを１つ取得し、上記の動作を行う。存在しないと判断する場合には、配信データ生成部１１１ｂは、処理終了命令を制御部１２０へ出力して、送信処理の動作を終了する。
【０２１４】
（５）配信処理部１１８ｂ
配信処理部１１８ｂは、配信データ生成部１１１ｂから、コンテンツ信頼度・閾値データと１の他端末ＩＤとを受け取ると、受け取ったコンテンツ信頼度・閾値データに含まれるコンテンツＩＤに対応するコンテンツデータを記憶部１０８のコンテンツ情報１３２から読み出す。
【０２１５】
配信処理部１１８ｂは、受け取った他端末ＩＤに対応する他端末情報に含まれる配信先情報を記憶部１０８の他端末情報テーブル１３１から取得し、取得した配信先情報に基づいて、読み出したコンテンツデータと、受け取ったコンテンツ信頼度・閾値データとからなる配信データを、通信部１１９を介して、配信する。
配信処理部１１８ｂは、配信データを配信した後、次データ生成命令を配信データ生成部１１１ｂへ出力する。
【０２１６】
なお、配信処理部１１８ｂは、第１の実施の形態にて示す配信処理部１１８と同様に、配信時確認画面を表示してもよい。このとき、配信時確認画面にて表示する内容は、第１の実施の形態にて示す内容と同様の内容を表示してもよいし、第１の実施の形態にて示す内容に、配信先のユーザ端末に対する信頼度を加えて表示してもよい。
（６）配信コンテンツ選択部１１２ｂ
ここでは、第１の実施の形態にて示す配信コンテンツ選択部１１２と異なる点のみについて説明する。
【０２１７】
第１の実施の形態にて示す配信コンテンツ選択部１１２では、選択されたコンテンツＩＤをデータ加工部１１０と配信データ生成部１１１へ出力したが、配信コンテンツ選択部１１２は、選択されたコンテンツＩＤを配信データ生成部１１１ｂへ出力する。
この点が、異なり、他の動作については、配信コンテンツ選択部１１２にて示す動作と同様である。
【０２１８】
（７）表示部１０２ｂ
表示部１０２ｂは、第１の実施の形態にて示す表示部１０２の動作に加えて、以下の動作を行う。
表示部１０２ｂは、データ加工部１１０ｂの指示により、コンテンツ表示不可画面６５５及びコンテンツ表示画面６５８を表示する。
【０２１９】
（８）入力部１０１ｂ
入力部１０１ｂは、第１の実施の形態にて示す入力部１０１の動作に加えて、以下の動作を行う。
コンテンツ表示不可画面６５５が表示されている場合において、ＯＫボタン６５７が選択されると、ＯＫボタン６５７が選択された旨をデータ加工部１１０ｂへ出力する。
【０２２０】
コンテンツ表示画面６５８が表示されている場合において、表示終了ボタン６５９が選択されると、表示終了ボタン６５９が選択された旨をデータ加工部１１０ｂへ出力する。
２．３  携帯端末２２ｂの動作
ここでは、携帯端末２２ｂの動作は、第１の実施の形態にて示す携帯端末１０の動作と異なる点は、コンテンツデータを送信する場合の動作と、コンテンツデータを受信した場合の動作とである。
【０２２１】
以下、携帯端末２２ｂにおける送信処理の動作及び受信処理の動作について、説明する。
（１）送信処理の動作
ここでは、送信処理の動作について、図４０及び図４１に示す流れ図を用いて説明する。
【０２２２】
配信コンテンツ選択部１１２ｂは、配信先選択部１１６へ配信先設定命令を送る（ステップＳ１０００）。
配信先選択部１１６は、記憶部１０８の他端末情報テーブル１３１から全ての他端末ＩＤを取得する（ステップＳ１００５）。配信先選択部１１６は、取得した全ての端末ＩＤそれぞれに対応する配信情報、信頼度及び名前を所定分数、表示部１０２ｂに表示させる（ステップＳ１０１０）。
【０２２３】
配信先選択部１１６は、入力部１０１を介して、ユーザより選択された配信先を受け付け、受け付けた配信先と、それに対応する他端末ＩＤを、ＩＤ記憶領域に一時的に記憶する（ステップＳ１０１５）。入力部１０１は、ボタンの受付を行う（ステップＳ１０２０）。
次ボタン２４２が選択された場合（ステップＳ１０２５における「次へ」）、配信先選択部１１６は、次表示命令を入力部１０１ｂから受け取り、ステップＳ１０１０へ戻り、未表示である、配信先情報、名前、信頼度からなる１以上の組を所定数分、配信先選択画面２４０を用いて、表示部１０２ｂに表示させる。
【０２２４】
ＯＫボタン２４１が選択された場合（ステップＳ１０２５における「ＯＫ」）、配信先選択部１１６は、ＩＤ記憶領域に記憶している１以上の配信先に含まれる名前を含む配信先確認画面２４３を、表示部１０２に表示させる（ステップＳ１０３０）。入力部１０１ｂは、ボタンの受付を行う（ステップＳ１０３５）。
キャンセルボタン２４５が選択された場合（ステップＳ１０４０における「キャンセル」）、配信先選択部１１６は、配信先キャンセル命令を入力部１０１ｂから受け取り、処理終了命令を制御部１２０に出力し、送信処理を終了する。
【０２２５】
ＯＫボタン２４４が選択された場合（ステップＳ１０４０の「ＯＫ」）、配信先選択部１１６は、送信先確定命令を入力部１０１ｂから受け付け、選択された１以上の他端末ＩＤを配信データ生成部１１１へ出力する（ステップＳ１０４５）。
配信データ生成部１１１は、受け取った１以上の他端末ＩＤの中から１の他端末ＩＤを取得する（ステップＳ１０５０）。
【０２２６】
配信コンテンツ選択部１１２ｂは、選択されたコンテンツＩＤを配信データ生成部１１１ｂへ出力する（ステップＳ１０５５）。
配信データ生成部１１１ｂは、記憶部１０８のコンテンツ閾値データテーブル１３９から、選択されたコンテンツＩＤに対応するコンテンツ閾値データを読み出す（ステップＳ１０６０）。
【０２２７】
配信データ生成部１１１ｂは、読み出したコンテンツ閾値データに含まれる配布可能信頼度閾値が“９９”であるか否かを判断する（ステップＳ１０６５）。
配布可能信頼度閾値が“９９”であると判断する場合（ステップＳ１０６５における「ＹＥＳ」）、配信データ生成部１１１ｂは、表示部１０２ｂに送信不可画面２５２を表示させる（ステップＳ１０７０）。入力部１０１ｂは、終了ボタン２５３の受付を行う（ステップＳ１０７５）。入力部１０１ｂにて終了ボタン２５３が受け付けられると、配信データ生成部１１１は、処理終了命令を制御部１２０へ出力して、送信処理の動作を終了する。
【０２２８】
配布可能信頼度閾値が“９９”でないと判断する場合（ステップＳ１０６５における「ＮＯ」）、配信データ生成部１１１ｂは、取得した１の他端末ＩＤに対応する他端末情報に含まれる信頼度を、他端末情報テーブル１３１から取得する（ステップＳ１０８０）。
配信データ生成部１１１ｂは、取得したコンテンツ閾値データと信頼度とからコンテンツ信頼度・閾値データを生成し（ステップＳ１０８５）、生成したコンテンツ信頼度・閾値データと、取得した１の他端末ＩＤとを配信処理部１１８ｂへ出力する（ステップＳ１０９０）。
【０２２９】
配信処理部１１８ｂは、配信データ生成部１１１ｂより受け取ったコンテンツ信頼度・閾値データに含まれるコンテンツＩＤに対応するコンテンツデータを記憶部１０８のコンテンツ情報１３２から読み出す（ステップＳ１０９５）。
配信処理部１１８ｂは、配信データ生成部１１１ｂより受け取った他端末ＩＤに対応する他端末情報に含まれる配信先情報を記憶部１０８の他端末情報テーブル１３１から取得する。配信処理部１１８ｂは、取得した配信先情報に基づいて、読み出したコンテンツデータと、受け取ったコンテンツ信頼度・閾値データとからなる配信データを、通信部１１９を介して、送信する（ステップＳ１１００）。
【０２３０】
次に、配信処理部１１８ｂは、次データ生成命令を配信データ生成部１１１ｂへ出力する。配信データ生成部１１１ｂは、配信処理部１１８から次データ生成命令を受け取ると、配信先選択部１１６より受け取った１以上の他端末ＩＤのうち未取得の他端末ＩＤが存在するか否かを判断する（ステップＳ１１０５）。存在すると判断する場合には（ステップＳ１１０５における「ＹＥＳ」）、配信データ生成部１１１ｂは、１以上の他端末ＩＤから未取得の他端末ＩＤを１つ取得し（ステップＳ１１１０）、ステップＳ１０８０へ戻る。存在しないと判断する場合には（ステップＳ１１０５における「ＮＯ」）、配信データ生成部１１１ｂは、処理終了命令を制御部１２０へ出力して、送信処理の動作を終了する。
【０２３１】
（２）受信処理の動作
ここでは、受信処理の動作について、図４２から図４４に示す流れ図を用いて説明する。
受信処理部１１７ｂは、通信部１１９を介して他のユーザ端末から、配信データ６５０を受け取る（ステップＳ１２００）。
【０２３２】
受信処理部１１７ｂは、受け取った配信データ６５０をコンテンツ信頼度・閾値データ６５１と、コンテンツデータ６５２とに分離する（ステップＳ１２０５）。受信処理部１１７ｂは、分離したコンテンツ信頼度・閾値データ６５１を閾値データ生成部１２５ｂに出力し、分離したコンテンツデータ６５２と、コンテンツ信頼度・閾値データ６５１に含まれるコンテンツＩＤとをデータ加工部１１０ｂに出力する（ステップＳ１２１０）。
【０２３３】
閾値データ生成部１２５ｂは、受信処理部１１７ｂからコンテンツ信頼度・閾値データを受け取る。閾値データ生成部１２５ｂは、コンテンツ信頼度・閾値データに含まれる配布可能許可世代数を取得し、取得した配布可能許可世代数を用いて、値Ｆ（＝配布可能許可世代数−１）を算出する（ステップＳ１２１５）。閾値データ生成部１２５ｂは、算出した値Ｆが１以上であるか否かを判断する（ステップＳ１２２０）。
【０２３４】
値Ｆが１以上でないと判断する場合には（ステップＳ１２２０における「ＮＯ」）、閾値データ生成部１２５ｂは、コンテンツデータの表示の禁止を示す表示禁止命令をデータ加工部１１０ｂに出力する。データ加工部１１０ｂは、閾値データ生成部１２５ｂから、表示禁止命令を受け取ると、コンテンツ表示不可画面６５５を表示部１０２ｂに表示させる（ステップＳ１２２５）。
【０２３５】
コンテンツ表示不可画面６５５において、データ加工部１１０ｂは、入力部１０１ｂを介して、ＯＫボタン６５７の選択を受け付ける（ステップＳ１２３０）。データ加工部１１０ｂは、表示部１０２ｂにコンテンツ表示不可画面６５５の表示を終了させ、受信処理部１１７ｂより受け取ったコンテンツデータとコンテンツＩＤとを削除し、閾値データ生成部１２５ｂは、生成したコンテンツ閾値データを削除する（ステップＳ１２３５）。
【０２３６】
値Ｆが１以上であると判断する場合には（ステップＳ１２２０における「ＹＥＳ」）、閾値データ生成部１２５ｂは、コンテンツ信頼度・閾値データに含まれる配布可能信頼度閾値と信頼度とを用いて、値Ａ（＝（配布可能信頼度閾値）／（信頼度））を算出し（ステップＳ１２４０）、算出した値Ａが１以下であるか否かを判断する（ステップＳ１２４５）。
【０２３７】
値Ａが１以下でないと判断する場合には（ステップＳ１２４５における「ＮＯ」）、閾値データ生成部１２５ｂは、値Ａに“９９”を設定する（ステップＳ１２５０）。値Ａが１以下であると判断する場合（ステップＳ１２４５における「ＹＥＳ」）、及びステップＳ１２５０の実行後、ステップＳ１２５５以降が実行される。
閾値データ生成部１２５ｂは、カラー表示可能信頼度閾値と信頼度とを用いて、値Ｂ（＝（カラー表示可能信頼度閾値）／（信頼度））を算出し（ステップＳ１２５５）、算出した値Ｂが１以下であるか否かを判断する（ステップＳ１２６０）。
【０２３８】
値Ｂが１以下であると判断する場合には（ステップＳ１２６０における「ＹＥＳ」）、閾値データ生成部１２５ｂは、編集可能信頼度閾値と信頼度とを用いて、値Ｃ（＝（編集可能信頼度閾値）／（信頼度））を算出する（ステップＳ１２７５）。
値Ｂが１以下でないと判断する場合には（ステップＳ１２６０における「ＮＯ」）、閾値データ生成部１２５ｂは、値Ｂに“９９”を設定する（ステップＳ１２６５）。閾値データ生成部１２５ｂは、データ加工部１１０ｂへ２値画像処理命令を出力する。データ加工部１１０ｂは、２値画像処理命令を配信データ生成部１１１ｂから受け取ると、一時的に記憶しているコンテンツデータに２値画像処理を施し、２値画像処理が施されたコンテンツデータを、再度、コンテンツデータとして一時的に記憶する（ステップＳ１２７０）。その後、閾値データ生成部１２５ｂは、ステップＳ１２７５を行う。
【０２３９】
配信データ生成部１１１ｂは、算出した値Ｃが１以下であるか否かを判断する（ステップＳ１２８０）。
値Ｃが１以下であると判断する場合には（ステップＳ１２８０における「ＹＥＳ」）、閾値データ生成部１２５ｂは、オリジナル画像表示可能信頼度閾値と信頼度とを用いて、値Ｄ（＝（オリジナル画像表示可能信頼度閾値）／（信頼度））を算出する（ステップＳ１２９５）。値Ｃが１以下でないと判断する場合には（ステップＳ１２８０における「ＮＯ」）、閾値データ生成部１２５ｂは、値Ｃに“９９”を設定する（ステップＳ１２８５）。閾値データ生成部１２５ｂは、データ加工部１１０ｂへ編集不可設定命令を出力する。データ加工部１１０ｂは、閾値データ生成部１２５ｂから編集不可設定命令を受け取ると、一時的に記憶しているコンテンツデータを編集不可に設定し、編集不可が設定されたコンテンツデータを、再度、コンテンツデータとして、一時的に記憶する（ステップＳ１２９０）。その後、閾値データ生成部１２５ｂは、ステップＳ１２９５を行う。
【０２４０】
閾値データ生成部１２５ｂは、算出した値Ｄが１以下であるか否かを判断する（ステップＳ１３００）。
値Ｄが１以下であると判断する場合には（ステップＳ１３００における「ＹＥＳ」）、閾値データ生成部１２５ｂは、保存可能信頼度閾値と信頼度とを用いて、値Ｅ（＝（保存可能信頼度閾値）／（信頼度））を算出する（ステップＳ１３１５）。値Ｄが１以下でないと判断する場合には（ステップＳ１３００における「ＮＯ」）、閾値データ生成部１２５ｂは、値Ｄに“９９”を設定する（ステップＳ１３０５）。閾値データ生成部１２５ｂは、データ加工部１１０へ画像縮小命令を出力する。データ加工部１１０ｂは、閾値データ生成部１２５ｂから画像縮小命令を受け取ると、一時的に記憶しているコンテンツデータを縮小し、縮小したコンテンツデータを、再度、コンテンツデータとして、一時的に記憶する（ステップＳ１３１０）。その後、閾値データ生成部１２５ｂは、ステップＳ１３１５を行う。
【０２４１】
閾値データ生成部１２５ｂは、算出した値Ｅが１以下であるか否かを判断する（ステップＳ１３２０）。
値Ｅが１以下でないと判断する場合には（ステップＳ１３２０における「ＮＯ」）、閾値データ生成部１２５ｂは、値Ｅに“９９”を設定する（ステップＳ１３２５）。閾値データ生成部１２５ｂは、データ加工部１１０へ保存不可設定命令を出力する。データ加工部１１０ｂは、閾値データ生成部１２５ｂから保存不可設定命令を受け取ると、一時的に記憶しているコンテンツデータを保存不可に設定し、保存不可が設定されたコンテンツデータを、再度、コンテンツデータとして、一時的に記憶する（ステップＳ１３３０）。
【０２４２】
値Ｅが１以下であると判断する場合（ステップＳ１３２０における「ＹＥＳ」）、及びステップＳ１３３０の実行後、ステップＳ１３３５以降が実行される。
閾値データ生成部１２５ｂは、各数値（Ａ、Ｂ、Ｃ、Ｄ、Ｅ、Ｆ）と、コンテンツ信頼度・閾値データに含まれるコンテンツＩＤとを用いて、コンテンツ閾値データを生成する（ステップＳ１３３５）。
【０２４３】
閾値データ生成部１２５ｂは、コンテンツ閾値データを生成が完了した旨の閾値データ生成完了命令をデータ加工部１１０ｂへ出力する。データ加工部１１０ｂは、閾値データ生成完了命令を、配信データ生成部１１１から受け取ると、一時的に記憶しているコンテンツデータを含むコンテンツ表示画面６５８を表示部１０２ｂに表示させる（ステップＳ１３４０）。
【０２４４】
コンテンツ表示画面６５８において、データ加工部１１０ｂは、入力部１０１ｂを介して、表示終了ボタン６５９の選択を受け付けると、表示部１０２ｂにコンテンツ表示画面６５８の表示を終了させる（ステップＳ１３４５）。データ加工部１１０ｂは、コンテンツデータに保存不可が設定されているか否かを判断する（ステップＳ１３５０）。
保存不可が設定されていないと判断する場合には（ステップＳ１３５０における「ＮＯ」）、データ加工部１１０ｂは一時的に記憶しているコンテンツデータとコンテンツＩＤとを対応付けて記憶部１０８のコンテンツ情報１３２に書き込む（ステップＳ１３５５）。データ加工部１１０ｂは、書込命令を閾値データ生成部１２５ｂへ出力する。閾値データ生成部１２５ｂは、データ加工部１１０ｂからコンテンツ閾値データの書き込みを指示する書込命令を受け取ると、生成したコンテンツ閾値データを記憶部１０８のコンテンツ閾値データテーブル１３９へ書き込む（ステップＳ１３６０）。
【０２４５】
保存不可が設定されていると判断する場合には（ステップＳ１３５０における「ＹＥＳ」）、データ加工部１１０ｂは一時的に記憶しているコンテンツデータとコンテンツＩＤとを削除する（ステップＳ１３６５）。データ加工部１１０ｂは、破棄命令を閾値データ生成部１２５ｂへ出力する。閾値データ生成部１２５ｂは、データ加工部１１０ｂからコンテンツ閾値データの破棄を指示する破棄命令を受け取ると、生成したコンテンツ閾値データを破棄する（ステップＳ１３７０）。
３．変形例
上記に説明した実施の形態は、本発明の実施の形態の一例であり、本発明はこの実施の形態に何ら限定されるものではなく、その旨を逸脱しない範囲において主な態様で実施し得るものである。以下のような場合も本発明に含まれる。
【０２４６】
（１）本明細書において、サービスの提供は、静止画像、動画像、映画などのコンテンツを他の装置に送信すること、提供された静止画像、動画像、映画のコンテンツの視聴、編集、加工、保存などの処理を他の装置に許可することを含む。また、上記のようなコンテンツに限定されることはない。コンピュータプログラム、文書データ、表計算ソフトにより生成された電子シート、データベース、電子メールの内容なども、提供するコンテンツの一例である。
【０２４７】
さらに、サービスの提供は、他のコンピュータの資源、例えば、記憶ユニットなどの使用を他の装置に許可すること、他のコンピュータが保持しているコンピュータプログラムの利用を他の装置に許可することを含む。
例えば、他のコンピュータに対して、当該他のコンピュータが保持しているコンピュータプログラムの実行を指示し、当該他のコンピュータは、前記コンピュータプログラムを実行することも、前記サービスの提供に含まれる。
【０２４８】
（２）本発明の適用先は、コンテンツデータ（個人コンテンツ）の流通制御に限るものではない。例えば、あるユーザ端末が他のユーザ端末にサービスを提供する場合に、そのサービスの提供範囲（サービスの提供を許可するユーザ端末の範囲）を限定する場合にも適用出来る。例えば、ファイル共有におけるファイルの提供範囲の限定、グリッドコンピューティングにおける計算機資源の提供範囲の限定、有料ソフトウェアや商用コンテンツのコピー可能範囲の限定（例えば、家庭内）等が挙げられる。
【０２４９】
ここで、本発明をグリッドコンピューティングにおける計算機資源の提供範囲の限定に適用した場合について、以下に簡単に述べる。
この場合におけるシステムでは、複数のユーザ端末と、サーバ装置とがネットワークを介して接続されている。
１のユーザ端末は、他のユーザ端末へ、情報として、サーバ装置の計算資源の利用権（例えば、ＣＰＵの利用権、コンピュータプログラムの利用権、記憶資源の利用権など）を配信する。このとき、前記１のユーザ端末は、前記利用権の二次配布に係る二次配布可能信頼度閾値を、上記第１及び第２実施にて示す算出方法同様の方法にて算出し、算出した二次配布可能信頼度閾値を、前記利用権とともに配布する。二次配布可能信頼度閾値は、利用権が配布される度に、上がるので、ある配信時点にて二次配布が禁止される。
【０２５０】
これにより、グリッドコンピューティングにおける計算機資源の提供範囲の限定することができる。
（３）上記第１の実施の形態において、ユーザ端末はコンテンツデータを送受信しあっていたが、これに限るものではない。例えば、ユーザ端末は、コンテンツデータ以外のデータを権利情報（条件付サービス利用権、サービス利用権）として送受信しあって、コンテンツデータは別途入手できるようにしてもよい。この場合、ユーザ端末の有する正規の権利情報に対応するコンテンツデータのみを表示、配布出来るようにする。例えば、ユーザ端末は外部の可搬媒体からコンテンツデータを入手したり、権利情報とは異なるタイミングで通信路から入手したり、通信路とは異なる別の通信路経由でコンテンツデータを入手してもよい。
【０２５１】
なお、第２の実施の形態においても、同様のことが実現できる。
（４）上記第１の実施の形態において、コンテンツデータの一例として、ＪＰＥＧ形式の画像データ、ＭＰＥＧ形式の動画像データ、及び文字データであるとしたが、これに限るものではない。例えば、他のフォーマット（例えば、ＢＭＰ形式やＧＩＦ形式）の画像データやイラストデータであってもよいし、楽曲データ（例えば、Ｍｕｓｉｃａｌ  Ｉｎｓｔｒｕｍｅｎｔｓ  Ｄｉｇｉｔａｌ  Ｉｎｔｅｒｆａｃｅ，ＭＩＤＩ形式）、音楽データ（例えば、Ｍｐｅｇ１  ＡｕｄｉｏＬａｙｅｒ３、ＭＰ３形式）、他のフォーマット（例えば、Ｍｏｖｉｎｇ  Ｐｉｃｔｕｒｅ  Ｅｘｐｅｒｔｓ  Ｇｒｏｕｐｓ、ＭＰＥＧ形式）の動画データ、テキストファイル（アスキー形式）、ソフトウェアやプログラム等であってもよい。
【０２５２】
なお、第２の実施の形態においても、同様のことが実現できる。
（５）上記第１実施の形態において示した画面は、全て一例であり、これに限るものではない。記載の機能を実現できるような画面であれば、どのような画面でもよい。
なお、第２の実施の形態においても、同様である。
（６）上記第１の実施の形態のユーザ端末では、外部に画面を表示出来る表示部を備えていたが、これに限るものではない。例えば、音声により外部に通知するようなものでもよいし、外部の可搬媒体や情報機器の記録部等に出力できるようなものでもよい。また、ユーザ端末は、表示部を備えず、受け取ったコンテンツデータを自動に、もしくは、ユーザの指示により、記憶部へ保存するようにしてもよい。
【０２５３】
なお、第２の実施の形態においても、同様のことが実現できる。
（７）上記第１の実施の形態において、ユーザ端末間の通信路は、通信回線網又はインターネットであるとしたが、これに限るものではない。例えば、ＬＡＮ（Ｌｏｃａｌ  Ａｒｅａ  ＮｅｔＷｏｒｋ）、ＢｌｕｅＴｏｏｔｈに代表される近距離ネットワーク（ＰＡＮ、Ｐｅｒｓｏｎａｌ  Ａｒｅａ  Ｎｅｔｗｏｒｋ）、ＩＥＥＥ８０２．１１ｂに代表される無線ネットワーク、赤外線、電話線、専用線、電灯線通信、人体通信等であってもよい。
【０２５４】
なお、第２の実施の形態においても、同様のことが実現できる。
（８）上記第１の実施の形態にて示すユーザ端末のコンテンツ取得部は、外部の可搬媒体（メモリカード）からコンテンツデータの読み取り、文字入力によるコンテンツデータの取得、及びカメラモジュールにより外部の被写体の写ったコンテンツデータの取得を行ったが、これに限るものではない。例えば、コンテンツ取得部は、外部の情報機器（パーソナルコンピュータ等のコンピュータ装置や、携帯型電話、ＰＤＡ、デジタルスチルカメラ、デジタルビデオカメラ、ＤＶＤレコーダ、ＨＤＤレコーダ、テレビ、専用携帯端末など）と有線もしくは無線で接続され、その情報機器からコンテンツデータを取得してもよい。
【０２５５】
さらに、コンテンツ取得部は外部の可搬媒体や、他の情報機器にコンテンツデータを出力できてもよい。この際、予め登録してある可搬媒体や情報機器には無条件でコンテンツデータを出力してもよい。
なお、第２の実施の形態においても、同様のことが実現できる。
（９）上記第１の実施の形態において、ユーザ端末がコンテンツデータを配布する際には、ユーザによって、配布するユーザ端末を選択したが、これに限るものではない。例えば、記憶部の他端末情報テーブルに格納される他端末ＩＤ全てに対応するユーザ端末に配布してもよい。また、例えば、通信路がＰＡＮ（Ｐｅｒｓｏｎａｌ  Ａｒｅａ  Ｎｅｔｗｏｒｋ）であり、現在ＰＡＮにつながっているオンライン状態のユーザ端末に対してのみ、コンテンツデータを配布するようにしてよい。
【０２５６】
なお、第２の実施の形態においても、同様のことが実現できる。
（１０）上記第１の実施の形態において、ユーザ端末がコンテンツデータを配布する際には、ユーザが、記憶部のコンテンツ情報に格納されるコンテンツデータを一つ選択していたが、これに限るものではない。例えば、ユーザは、複数のコンテンツデータを選択できても良い。さらに、例えば、予めユーザ端末の製造者もしくはユーザによって指定されるタイミング（例えば、ユーザがボタンを押した、１日毎など）に、全て、もしくは、ある一部のコンテンツデータを自動で配信するようにしてもよい。その際、一部のコンテンツデータは、例えば、生成日時やコンテンツデータのサイズ、コンテンツデータの重要度、バックアップの有無等に基づいて選択されてもよいし、ランダムに選ばれても良い。
【０２５７】
なお、第２の実施の形態においても、同様のことが実現できる。
（１１）上記第１の実施の形態にて示すユーザ端末の配信データ生成部において、二次配布可能信頼度閾値は、配布可能信頼度閾値から信頼度を割った値で導出していたが、これに限るものではない。また、判定基準も“１．０を超えた”のみに限らない。また、コンテンツデータが二次配布される毎に、配布可能信頼度閾値は常に上昇していっていたが、これに限るものではない。例えば一つの例として、二次配布可能信頼度閾値を、配布可能信頼度閾値から信頼度をａ乗した値（ａは２以上）を除算した値をとして、判定基準を例えば“１．０を超えた”としてもよい。こうすることにより、コンテンツデータが二次配布される毎に、信頼度閾値は緩やかに上昇していき、より広範囲にコンテンツデータを流通させることが出来るようになる。例えば別の例として、配布可能信頼度閾値と信頼度の逆数である“１／信頼度”を足した値を二次配布可能信頼度閾値として、判定基準を例えば“５．０を超えた”としてもよい。
【０２５８】
また、基準を判定する際の指標と、コンテンツデータに付随させる二次配布可能信頼度閾値は、必ずしも一致しなくてもよい。また、基準を判定する際の指標と、コンテンツデータに付随させる二次配布可能信頼度閾値は、必ずしも一致しなくてもよい。
さらに、二次配布可能信頼度閾値の導出方法や、基準を判定する際の指標の導出方法や、判定基準は、コンテンツデータを配布するユーザ端末が設定出来るようにしてもよい。
【０２５９】
なお、上記実施の形態では、配布可能信頼度閾値の値は、コンテンツデータが二次配布される毎に上がっていっていたが、これに限るものではない。つまり、コンテンツデータが二次配布される毎に、上がったり下がったりしてもよい。例えば一つの例として、第二信頼度閾値を、信頼度閾値から信頼度を除算した値に０．２を足した値として、判定基準を例えば“１．０を超えた”としてもよい。この場合、信頼度が１．０となるユーザ端末に対しては、信頼度閾値が下がることとなる。こうすることにより、より広範囲にコンテンツデータを流通させることが出来るようになる。
【０２６０】
なお、第２の実施の形態にて示すユーザ端末の閾値データ生成部においても、同様のことが実現できる。
（１２）上記第１の実施の形態において、配布可能信頼度閾値以外の各閾値と信頼度とを用いて、コンテンツデータの加工を行うか否かを判断したが、これに限らない。
例えば、判定基準（配布可能信頼度閾値から信頼度を割った値が１．０を超える）を満たした場合に、データ加工部でコンテンツデータのサイズの加工を行ってもよい
また、例えば、コンテンツデータは編集可能フラグを備え、オリジナルのコンテンツデータは編集が出来る形で配布されるが、判定基準を満たした場合には、データ加工部でコンテンツデータの編集が出来ないようにフラグを加工するようにしてもよい。また、コンテンツデータは保存禁止フラグを備え、オリジナルのコンテンツデータは保存が出来る形で配布されるが、判定基準を満たした場合には、データ加工部でコンテンツデータの保存が出来ないようにフラグを加工するようにしてもよい。
【０２６１】
また、コンテンツデータは保存可能期間情報を含み、オリジナルのコンテンツデータは無期、もしくは、長期間（例えば、１年）保存が出来る形で配布されるが、判定基準を満たした場合には、データ加工部でコンテンツデータの保存が短期間（例えば、１日）しか出来ないように保存可能期間情報を加工するようにしてもよい。
また、コンテンツデータは再配布可能回数に関する情報を含み、オリジナルのコンテンツデータは無限、もしくは、多い回数（例えば、１００回）再配布が出来る形で配布されるが、判定基準を満たした場合には、データ加工部でコンテンツデータを少ない回数（例えば、５回）しか再配布出来ないように再配布可能回数に関する情報を加工するようにしてもよい。
【０２６２】
また、オリジナルのコンテンツデータには電子透かし（ウォーターマーク、ステガノグラフィ）が埋め込まれていない形で配布されるが、判定基準を満たした場合には、データ加工部でコンテンツデータに二次配布元、もしくは、二次配布先のユーザ端末に関する情報を電子透かし（ウォーターマーク、ステガノグラフィ）としてコンテンツデータに埋め込むようにしてもよい。これにより、万が一、コンテンツデータが漏洩した場合であっても、その漏洩元を特定することが出来る。
【０２６３】
また、別の形として、判定基準を満たした場合には、ユーザ端末は、そのコンテンツデータの生成者やセンタなどに、コンテンツＩＤや自ユーザ端末を特定する情報（例えば、端末ＩＤ）を通知するようにしてもよい。また、コンテンツデータの生成者に通知する場合、直接通知せず、そのコンテンツデータをもらったユーザ端末経由で、コンテンツデータの流通順序とは逆の順序で、数珠繋ぎのように通知していってもよい。
【０２６４】
また、一つのコンテンツデータに対して複数段階の信頼度閾値を設けるようにしてもよい。また、それぞれ異なる判定基準であってもよい。例えば一つの画像データに対して２つの信頼度閾値を設定し、最初はオリジナルサイズで流通し、一番目の信頼度閾値が“１．０”を超えたら以降はＶＧＡサイズで流通し、二つ目の信頼度閾値が“１．０”を越えたら以降はサムネイルサイズで流通されるようにしてもよい。なお、一つのコンテンツデータに対して３つ以上の信頼度を設定してもよい。
【０２６５】
さらに、一つのコンテンツデータに対して複数段階の信頼度閾値を設けるようにした場合に、それぞれの信頼度閾値が判定基準を満たした場合に、それぞれ異なる処理を行うようにしてもよい。例えば、一つの画像データに対して２つの信頼度閾値を設定し、最初はオリジナルサイズで流通し、一番目の信頼度閾値が“１．０”を超えたら以降はモノクロカラーの画像データで流通し、二つ目の信頼度閾値が“２．０”を越えたら以降は二次配布を禁止するようにしてもよい。なお、上記と同様に、一つのコンテンツデータに対して３つ以上の信頼度を設定してもよい。
【０２６６】
なお、第２の実施の形態においても、同様のことが言える。
（１３）上記第１の実施の形態において、ユーザ端末は、“コンテンツデータの一次配布”、“コンテンツデータの二次配布”、及び“コンテンツデータの受信”の全ての機能を有していたが、これに限るものでない。例えば、ユーザ端末は、“コンテンツデータの一次配布”、“コンテンツデータの二次配布”、及び“コンテンツデータの受信”のいずれか一つ、もしくは、二つの機能しか有していなくても良い。
【０２６７】
なお、第２の実施の形態においても、同様のことが言える。
（１４）上記第１の実施の形態のユーザ端末において、記憶部に格納される他端末情報は、他端末情報設定部経由で、外部のユーザから入力されていたが、これに限るものではない。例えば、外部の情報機器（パーソナルコンピュータ等のコンピュータ装置や、携帯型電話、ＰＤＡ、デジタルスチルカメラ、デジタルビデオカメラ、ＤＶＤレコーダ、ＨＤＤレコーダ、テレビ、専用携帯端末など）と有線もしくは無線で接続され、その情報機器から他端末情報の全部、もしくは、一部を取得できてもよい。
【０２６８】
なお、第２の実施の形態においても、同様のことが言える。
（１５）上記第１の実施の形態にて示すユーザ端末の記憶部に格納されるコンテンツ情報の配布可能信頼度閾値において、“−９９”は未設定であり、“９９”は決められた条件をすでに満たした（例えば、配布可能信頼度閾値から信頼度を割った値が１．０を超えた）ことを意味していたが、“−９９”や“９９”の値に限るものではない。また、コンテンツ取得部において入力されたコンテンツデータは、“−９９”が初期状態として設定されていたが、例えば予めデフォルト信頼度閾値（たとえば“０．５“）が設定されており、コンテンツ取得部において入力されたコンテンツデータの配布可能信頼度閾値を“−９９”ではなくデフォルト信頼度閾値としてもよい。また、コンテンツデータの種類により予め複数のデフォルト信頼度閾値が設定されており、コンテンツ取得部にコンテンツデータが入力された場合に、それらをユーザが選択、もしくは、ユーザ端末が自動で選択するようにしてもよい。ユーザ端末が自動で選択する場合には、例えば、入力された日付や時間、コンテンツデータの入力時の環境情報（例えば、Ｇｌｏｂａｌ  Ｐｏｓｉｔｉｏｎｉｎｇ  Ｓｙｓｔｅｍを使った位置情報や周りのＩＣタグ、温度や湿度など）や、ユーザ端末に備わっているセンサから読み取る情報、コンテンツデータの自動認識（例えば、画像認識）などが利用可能である。
【０２６９】
なお、第２の実施の形態においても、同様のことが言える。
（１６）上記第１の実施の形態のユーザ端末の配信コンテンツ選択部において、ユーザによって選択されたコンテンツデータの配布可能信頼度閾値が未設定（“−９９”）の場合、ユーザに警告を表示するようにしてもよい。
なお、第２の実施の形態においても、同様のことが言える。
【０２７０】
（１７）上記第１の実施の形態にて示すユーザ端末の配信処理部は、コンテンツデータを配信する毎に、配信先に関する情報（例えば、端末ＩＤ）を、そのコンテンツデータの生成者やセンタに通知したりしてもよい。また、コンテンツデータの生成者に通知する場合、直接通知せず、そのコンテンツデータをもらったユーザ端末経由で、コンテンツデータの流通順序とは逆の順序で、数珠繋ぎのように通知していってもよい。これにより、コンテンツデータの生成者は、どの範囲で自分の生成したコンテンツデータが流通しているのか把握することが出来るようになる。
【０２７１】
なお、第２の実施の形態においても、同様のことが言える。
（１８）上記第１の実施の形態にて示すユーザ端末の記憶部に格納されるコンテンツ情報において、コンテンツデータと他のデータ（コンテンツＩＤや信頼度閾値など）は別として定義していたが、コンテンツデータの中に他のデータを含むようにしてもよい。例えば、コンテンツデータがＪＰＥＧ形式の画像データの場合に、その拡張フィールドに他のデータ（コンテンツＩＤや信頼度閾値など）を保持するようにしてもよい。
【０２７２】
なお、第２の実施の形態においても、同様のことが言える。
（１９）上記第１の実施の形態のユーザ端末において、複数の他のユーザ端末から同じコンテンツＩＤのコンテンツデータを受信した場合、そのコンテンツデータに対応する配布可能信頼度閾値の低いコンテンツデータのみを残すようにして、他のコンテンツデータは消去するようにしてもよい。
【０２７３】
なお、第２の実施の形態においても、同様のことが言える。
（２０）上記第１の実施の形態のユーザ端末は、受け取ったコンテンツデータを保存するか否かを、コンテンツデータに設定された情報に基づいて判断したが、これに限定されない。
ユーザ端末は、受け取ったコンテンツデータを無条件で表示、保存してもよい。
【０２７４】
また、例えば、配信したユーザ端末の信頼度がある一定以上のコンテンツデータのみ、表示や保存するようにしてもよい。また、例えば、配信したユーザ端末の信頼度がある一定以下のコンテンツデータは、何らかの加工処理（サイズを小さくするなど）の後、表示や保存するようにしてもよい。
なお、第２の実施の形態においても、同様のことが言える。
【０２７５】
（２１）上記第１の実施の形態のユーザ端末において、コンテンツデータは暗号化して他のユーザ端末に配信するようにしてもよい。その際に用いる鍵情報は、他端末情報に格納されていてもよい。これにより、第三者が通信路を盗聴しても、コンテンツデータを取得できなくなる。また、コンテンツデータを暗号化して記憶部のコンテンツ情報に格納するようにしてもよい。これにより、第三者が記憶部に不正アクセスしても、簡単にはコンテンツデータを取得できなくなる。また、コンテンツＩＤに偽造回避のため、デジタル署名がついていてもよい。
【０２７６】
なお、第２の実施の形態においても、同様のことが言える。
（２２）上記第１の実施の形態において、ユーザ端末がコンテンツデータを配信する際に、その配信先のユーザ端末に直接配信しなくてもよい。例えば、中継となるようなユーザ端末や中継サーバ、ルータなどを介して、配信先のユーザ端末に配信するようにしてもよい。その際、中継となるようなユーザ端末や中継サーバ、ルータなどにはコンテンツデータが漏れないような対策を施しても良い。例えば、コンテンツデータを暗号化することにより、コンテンツデータが漏れないようになる。
【０２７７】
なお、第２の実施の形態においても、同様のことが言える。
（２３）上記第１の実施の形態において、ユーザ端末が配布するコンテンツデータには、ブラックリストとする端末ＩＤを含んでいてもよい。ブラックリストを含むコンテンツデータを受信したユーザ端末は、そのコンテンツデータを再配布（二次配布）する際に、そのブラックリストに含まれる端末ＩＤに対応するユーザ端末には配布しないようにする。また、ブラックリストは端末ＩＤだけに限らず、会社名や学校名などの所属情報、年齢や生年月日、性別などの属性情報でもよい。さらに、ブラックリストではなく、ホワイトリストでもよい。
【０２７８】
なお、第２の実施の形態においても、同様のことが言える。
（２４）上記第１の実施の形態において、コンテンツデータを配信する際に用いる通信路とコンテンツデータを受信する際に用いる通信路は同一であったが、それぞれ異なる通信路を用いるようにしてもよい。
なお、第２の実施の形態においても、同様のことが言える。
【０２７９】
（２５）上記第１の実施の形態において、コンテンツＩＤや端末ＩＤは必ずしもユニークでなくてもよい。
なお、第２の実施の形態においても、同様のことが言える。
（２６）上記第１の実施の形態のユーザ端末においては、二次配布可能信頼度閾値が判定基準（１．０を超える）を満たしていない場合に、コンテンツデータの二次配布（再配布）が許可されていることを意味し、二次配布可能信頼度閾値が判定基準を満たす場合に、コンテンツデータの二次配布（再配布）が許可されていないことを意味していたが、これに限るものではない。たとえば、二次配布可能信頼度閾値が判定基準（１．０を超える）を満たしていない場合に、コンテンツデータの表示や閲覧や外部出力は禁止され、二次配布可能信頼度閾値が判定基準を満たす場合に、コンテンツデータの表示や閲覧や外部出力は許可されるようにしてもよい。これにより、例えば、コンテンツデータを、親しいユーザのユーザ端末では閲覧出来ず、親しくない赤の他人のユーザ端末では閲覧できるようになる。
【０２８０】
なお、第２の実施の形態においても、同様のことが言える。
（２７）上記第１の実施の形態において、信頼度は０から１までの少数の値であり、１が最も信頼度が高く、０が最も信頼度が低いとしていたが、これに限るものではない。例えば、信頼度は分数であっても良いし、０からｂ（例えば、ｂは１００）としてもよい。また、０が最も信頼度が高く、１が最も信頼度が低いとしてもよい。また、信頼度を近似して扱うようにしてもよい。例えば、０．０から０．２５を０．２０に近似し、０．２５から０．５を０．４に近似し、０．５から０．７５を０．７０近似し、０．７５から１．０を０．９に近似するようにしてもよい。また、例えば、信頼度を３段階（優、良、可）として、優を０．８とし、良を０．５とし、可を０．３としてもよい。
【０２８１】
また、信頼度は０から１までの少数の値であり、１が最も信頼度が高く、０が最も信頼度が低いとしていたが、これに限るものではない。例えば、信頼度は分数であっても良いし、０からｂ（例えば、ｂは１００）としてもよい。また、０が最も信頼度が高く、１が最も信頼度が低いとしてもよい。
なお、第２の実施の形態においても、同様のことが言える。
【０２８２】
（２８）上記第１の実施の形態においては“信頼度”を用いていたが、サービスの許可／不許可を判定できるような値であれば、どのような値でもよい。例えば、親密の度合い、知識の豊富さの度合い、思考の早さの度合い、発言の真実さの度合い、誠実さの度合い、だまされやすさの度合い、ある特定分野（例えば音楽）に詳しい度合い、性格の明るさの度合い、など何らかの度合いであればよい。また、記憶部はこれら複数を組み合わせて保持し、ユーザもしくはコンテンツデータの生成者などからの要望により、含まれる何れかの度合いを参照して用いるようにしてもよい。また、複数の度合いを組み合わせて、新たな評価値を計算し、その評価値を参照して用いるようにしてもよい。また、その評価値の計算方法は、ユーザもしくはコンテンツデータの生成者などが決められてもよい。
【０２８３】
なお、第２の実施の形態においても、同様のことが言える。
（２９）本発明における情報流通システムは、情報の流通を行うシステムである。
上記第１の実施の形態において、コンテンツデータの配布が情報の流通に相当している。
また、本発明における流通される情報は、サービスの利用権であってもよい。
【０２８４】
この場合、サービスとは、コンピュータシステムによるコンピュータ資源の提供であり、利用権とは、前記コンピュータ資源の利用を行う権利である。
ここで、コンピュータ資源は、コンピュータ手段におけるコンピュータプログラムであるとしてもよい。この場合におけるサービスは、前記コンピュータプログラムによる演算処理の提供であり、利用権は、前記コンピュータプログラムの利用を行う権利である。
【０２８５】
また、コンピュータ資源は、コンピュータシステムにおける記憶資源であるとしてもよい。この場合におけるサービスは、前記記憶資源の提供であり、利用権は、前記記憶資源の利用を行う権利である。
なお、第２の実施の形態においても、同様のことが言える。
（３０）上記第１の実施の形態にて示すユーザ端末は、配布先のユーザ端末と認証を行う機能を有してもよい。
【０２８６】
例えば、認証により、配布元のユーザ端末が、配布先のユーザ端末を正当でないと判断する場合に、記憶している配布先のユーザ端末の信頼度を下げるように更新する。配布元のユーザ端末は、コンテンツデータの配布を行う場合には、更新後の信頼度を用いる。
また、例えば、認証により、配布元のユーザ端末が、配布先のユーザ端末を正当でないと判断する場合に、記憶している配布可能信頼度閾値を上げるように更新してもよい。配布元のユーザ端末は、コンテンツデータの配布を行う場合には、更新後の配布可能信頼度閾値を用いる。また、他の信頼度閾値についても同様に、配布先のユーザ端末を正当でないと判断する場合には、その値を上げるように更新してもよい。配布元のユーザ端末は、コンテンツデータの配布を行う場合には、更新後の値を用いる。
【０２８７】
なお、第２の実施の形態においても、同様のことが言える。
（３１）上記第１の実施の形態において、ユーザ端末に記憶されている他のユーザ端末に対する信頼度は、設定処理にて変更されない限り、固定的な値であったが、これに限定されない。
配布先のユーザ端末との接続形態に応じて、信頼度を変更してもよい。
【０２８８】
例えば、配布元のユーザ端末と配布先のユーザ端末とネットワークを介して接続されている場合には、信頼度を下げるように更新し、直接通信（例えば、ＢＬＵＥＴＯＯＴＨ、赤外線通信など）する場合には、信頼度を上げるように更新してもよい。配布元のユーザ端末は、コンテンツデータの配布を行う場合には、更新後の信頼度を用いる。
また、例えば、配布元のユーザ端末と配布先のユーザ端末とがネットワークを介して接続されている場合には、配布可能信頼度閾値を上げるように更新し、直接通信（例えば、ＢＬＵＥＴＯＯＴＨ、赤外線通信など）する場合には、配布可能信頼度閾値を下げるように更新してもよい。配布元のユーザ端末は、コンテンツデータの配布を行う場合には、更新後の配布可能信頼度閾値を用いる。また、他の信頼度閾値についても同様に、配布元のユーザ端末と配布先のユーザ端末とがネットワークを介して接続されている場合には、その値を上げるように更新してもよい。配布元のユーザ端末は、コンテンツデータの配布を行う場合には、更新後の値を用いる。
【０２８９】
なお、第２の実施の形態においても、同様のことが言える。
（３２）上記第１の実施の形態において、配布可能許可世代数のカウントの仕方を、コンテンツデータを最初に配信するユーザ装置を１世代目としてカウントしたが、これに限定されない。コンテンツデータを最初に配信するユーザ装置を０世代目としてもよい。
なお、第２の実施の形態においても、同様のことが言える。
【０２９０】
（３３）上記第１の実施の形態おいて、コンテンツ閾値データをコンテンツＩＤと配布可能信頼度とからなるとしてもよい。
この場合、配信元のユーザ端末は、コンテンツデータの加工は行わない。
また、第２の実施の形態においても同様に、コンテンツ閾値データをコンテンツＩＤと配布可能信頼度とからなるとしてもよい。
【０２９１】
このとき、配信元のユーザ端末は、コンテンツデータの配信を行う場合には、コンテンツＩＤ、配布可能信頼度閾値、及び信頼度からなるコンテンツ信頼度・閾値データと、コンテンツデータとを配信する。配信先のユーザ端末は、コンテンツデータの加工は行わない。
（３４）上記第１の実施の形態において、コンテンツ閾値データに、一次配布先に対する信頼の程度により、コンテンツの視聴（表示）の禁止と承認との境界を定める値を示す表示可能信頼度閾値を加えてもよい。
【０２９２】
コンテンツデータを配信するユーザ端末（以下、「配信ユーザ端末」という。）は、配信先のユーザ端末に対する信頼度と、表示可能信頼度閾値とを用いて、値Ｇ（＝（表示可能信頼度閾値）／（信頼度））を算出する。算出した値Ｇが１以下である場合には、配信ユーザ端末は、算出した値Ｇを二次表示可能信頼度閾値として、配信時コンテンツ閾値データに加える。算出した値Ｇが１以下でない場合には、配信ユーザ端末は、値Ｇに“９９”を設定し、設定後の値Ｇを二次表示可能信頼度閾値として、配信時コンテンツ閾値データに加える。
【０２９３】
コンテンツデータが配信されたユーザ端末は、二次表示可能信頼度閾値が１以下の場合には、受け取ったコンテンツデータを表示し、二次表示可能信頼度閾値が“９９”である場合には、受け取ったコンテンツデータの表示を行わない。
上記第２の実施の形態においても、同様に、コンテンツ閾値データに、表示可能信頼度閾値を加えてもよい。
【０２９４】
この場合、値Ｇの算出は、コンテンツデータが配信されたユーザ端末（以下、受信ユーザ端末という。）にて行う。算出した値Ｇが１以下である場合には、受信ユーザ端末は、算出した値Ｇを表示可能信頼度閾値として、コンテンツ閾値データに加える。算出した値Ｇが１以下でない場合には、受信ユーザ端末は、値Ｇに“９９”を設定し、設定後の値Ｇを表示可能信頼度閾値として、コンテンツ閾値データに加える。受信ユーザ端末は、表示可能信頼度閾値が１以下の場合には、受け取ったコンテンツデータを表示し、表示可能信頼度閾値が“９９”である場合には、受け取ったコンテンツデータの表示を行わない。
【０２９５】
（３５）上記第１の実施の形態において、配信ユーザ端末は、二次保存可能信頼度閾値、二次オリジナル画像表示可能信頼度閾値、二次編集可能信頼度閾値及び二次カラー表示信頼度閾値の各閾値を算出し、算出した各閾値に基づいて、配信するコンテンツデータに情報の設定に係る処理を施したが、これに限定されない。ここで、データ加工に係る処理とは、コンテンツデータの２値画像処理を施す処理、コンテンツデータに編集不可を設定する処理、コンテンツデータを縮小する処理、及びコンテンツデータに保存不可を設定する処理を示す。
【０２９６】
配信ユーザ端末は、各閾値の算出のみを行い、受信ユーザ端末が、算出された各閾値に基づいて、コンテンツデータに情報の設定に係る処理を施して、コンテンツデータを表示してもよい。また、配信ユーザ端末は、コンテンツデータの表示中にコンテンツデータのデータ加工に係る処理の指示を、ユーザより受け付け、受け付けた指示に対応する閾値が、０以上１以下である場合に、ユーザより受け付けた指示に対応するデータ加工に係る処理を、表示中のコンテンツデータに施す。ここで、データ加工に係る処理とは、コンテンツデータの２値画像処理を施す処理、コンテンツデータに対して編集を行う処理、及びコンテンツデータを縮小する処理を示す。
【０２９７】
また、第２の実施の形態において、配信ユーザ端末は、コンテンツデータの表示中にコンテンツデータのデータ加工に係る処理の指示を、ユーザより受け付け、受け付けた指示に対応する閾値が、０以上１以下である場合に、ユーザより受け付けた指示に対応するデータ加工に係る処理を、表示中のコンテンツデータに施すとしてもよい。
（３６）上記第１の実施の形態において、コンテンツデータを配信するユーザ端末は、配布可能信頼度閾値が、０以上１以下である場合に、配布対象のユーザ端末に対する信頼度が、その配布可能信頼度閾値より小さいとき、二次配布信頼度閾値に“９９”を設定して、コンテンツデータを配布したが、これに限定されない。
【０２９８】
コンテンツデータを配信するユーザ端末は、配布対象のユーザ端末に対する信頼度が、その配布可能信頼度閾値より小さいとき、配布対象のユーザ端末にコンテンツデータを配布しなくてもよい。これにより、コンテンツデータを配信するユーザ端末は、一次配布先を限定することができる。
また、上記第２の実施の形態において、コンテンツデータ及び配信データを受信したユーザ端末は、受信した配信データに含まれる配布可能信頼度閾値が、０以上１以下である場合に、受信した配信データに含まれる信頼度が、その配布可能信頼度閾値より小さいとき、受信したコンテンツを破棄してもよい。これにより、コンテンツデータを配信するユーザ端末は、一次配布先を限定することができる。
【０２９９】
（３７）上記第１の実施の形態において、コンテンツデータを配信するユーザ端末は、配布許可信頼度閾値が、０以上１以下である場合に、配布対象のユーザ端末に対する信頼度が、その配布可能信頼度閾値より小さいとき、二次配布可能信頼度閾値に“９９”を設定して、二次配布を禁止する制限を設けたが、これに限定されない。
以下のような限定を加えてもよい。
【０３００】
コンテンツデータを配信するユーザ端末は、二次配布可能信頼度閾値に“９９”を設定する場合、配信するコンテンツデータに、ネットワークが切断されるとコンテンツデータを削除するデータ削除命令を設定してもよい。コンテンツデータを受け取ったユーザ端末は、データ削除命令がコンテンツデータに設定されている場合には、コンテンツデータとともに受け取った配信時生成データに含まれる二次保存可能信頼度閾値の値に関わらず、ネットワークが切断されると、コンテンツデータ及び配信時生成データを削除する。
【０３０１】
または、コンテンツデータを配信するユーザ端末は、データ削除命令の代わりに、ネットワークの切断後、所定の時間が経過するとコンテンツデータを削除する時間経過削除命令を設定してもよい。コンテンツデータを受け取ったユーザ端末は、時間経過削除命令がコンテンツデータに設定されている場合には、コンテンツデータとともに受け取った配信時生成データに含まれる二次保存可能信頼度閾値の値に関わらず、ネットワークが切断され、所定の時間が経過すると、コンテンツデータ及び配信時生成データを削除する。
【０３０２】
また、第２の実施の形態においても、コンテンツデータを受信したユーザ端末において、データ削除命令及び時間経過命令を、コンテンツデータに設定してもよい。
（３８）上記第１の実施の形態において、コンテンツデータを配信するユーザ端末は、配布許可信頼度閾値が、０以上１以下である場合に、配布対象のユーザ端末に対する信頼度が、その配布可能信頼度閾値より小さいとき、二次配布可能信頼度閾値に“９９”を設定して、二次配布を禁止したが、これに限定されない。
【０３０３】
コンテンツデータを配信するユーザ端末は、二次配布可能信頼度閾値に“９９”を設定した場合、所定の信頼度以上のユーザ端末には、二次配布を許可してもよい。
このとき、コンテンツデータを配信するユーザ端末は、二次配布可能信頼度閾値に“９９”を設定した場合、所定の信頼度（例えば、０．９）をコンテンツデータに設定する。コンテンツデータを受信したユーザ端末は、受信したコンテンツデータの二次配布を行う場合には、二次配布先のユーザ端末に対する信頼度は、コンテンツデータに設定された所定の信頼度以上であるときに、コンテンツデータの二次配布を行う。
【０３０４】
また、第２の実施の形態においても、コンテンツデータを受信したユーザ端末において、受信したコンテンツに所定の信頼度を設定してもよい。
（３９）上記第１及び第２の実施形態にて示す各装置を構成する構成要素の一部又は全部は、１個のシステムＬＳＩ（Ｌａｒｇｅ Ｓｃａｌｅ Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０３０５】
ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０３０６】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
（４０）上記第１及び第２の実施形態にて示す上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０３０７】
（４１）本発明は、上記に示す方法であるとしてもよい。また、これらの方法をコンピュータにより実現するコンピュータプログラムであるとしてもよいし、前記コンピュータプログラムからなるデジタル信号であるとしても良い。また、本発明は、前記コンピュータプログラム又は前記デジタル信号をコンピュータ読み取り可能な記録媒体、例えば、リムーバブルディスク、ハードディスク、ＣＤ、ＭＯ、ＤＶＤ、ＢＤ（Ｂｌｕ−ｒａｙ  Ｄｉｓｃ）、ＳＤメモリカード、半導体メモリなど、に記録したものとしてもよい。また、これらの記録媒体に記録されている前記コンピュータプログラム又は前記デジタル信号であるとしてもよい。また、本発明は、前記コンピュータプログラム又は前記デジタル信号を、電気通信回線、無線又は有線通信回線、インターネットを代表とする通信ネットワーク等を経由して伝送するものとしてもよい。また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。また、前記プログラム又は前記デジタル信号を前記記録媒体に記録して移送することにより、又は前記プログラム又は前記デジタル信号を前記通信ネットワーク等を経由して移送することにより、独立した他のコンピュータシステムにより実施するとしてもよい。
【０３０８】
（４２）上記実施の形態及び上記変形例をそれぞれ組み合わせるとしてもよい。
【産業上の利用可能性】
【０３０９】
本発明に係る技術は、あるユーザ端末が他のユーザ端末へ何らかのサービスを提供する際に、そのサービスを許可するユーザ端末の範囲をある一定内に制限するようなシステムの場合に有用である。特に、コンテンツをある限られた範囲にのみ流通させるようなサービス利用制御システム等に有用である。
上記にて示した情報流通システムは、情報を配布する（例えば、コンテンツを配布する）産業において、経営的、つまり反復的かつ継続的に利用されうる。
【図面の簡単な説明】
【０３１０】
【図１】情報流通システム１の全体の構成を示す図である。
【図２】携帯端末１０の構成を示すブロック図である。
【図３】記憶部１０８が記憶している情報を示す図である。
【図４】他端末情報テーブル１３１のデータ構造の一例を示す図である。
【図５】コンテンツ閾値データテーブル１３９のである。
【図６】メニュー選択画面１４８の一例を示す図である。
【図７】メニュー終了画面１５０の一例を示す図である。
【図８】他端末情報入力画面１５３の一例を示す図である。
【図９】コンテンツデータ生成画面１６０の一例を示す図である。
【図１０】コンテンツ選択画面から送信・保存・設定選択画面への遷移の一例を示す図である。
【図１１】設定不可画面２２４の一例を示す図である。
【図１２】配信条件入力画面２２７の一例を示す図である。
【図１３】配信先選択画面２４０及び配信先確認画面２４３の一例を示す図である。
【図１４】（ａ）は配信時生成データのデータ構造の一例を示す図であり、（ｂ）は、保存時生成データのデータ構造の一例を示す図である。
【図１５】送信不可画面２５２の一例を示す図である。
【図１６】配信時確認画面２５８の一例を示す図である。
【図１７】携帯端末１０の動作を示す流れ図である。
【図１８】他端末情報設定時の動作を示す流れ図である。
【図１９】コンテンツデータ生成時の動作を示す流れ図である。
【図２０】コンテンツ処理時の動作を示す流れ図である。
【図２１】保存処理の動作を示す流れ図である。
【図２２】設定処理の動作を示す流れ図である。
【図２３】送信処理の動作を示す流れ図である。図２４へ続く。
【図２４】送信処理の動作を示す流れ図である。図２３から続き、図２５へ続く。
【図２５】送信処理の動作を示す流れ図である。図２４から続き、図２６へ続く。
【図２６】送信処理の動作を示す流れ図である。図２５から続く。
【図２７】送信処理の変形例を示す流れ図である。
【図２８】テーブルＴ１００のデータ構造の一例を示す図である。
【図２９】配布可能信頼度閾値の遷移を示す図である。
【図３０】各ユーザ端末と、配布されたコンテンツデータに設定された内容との関係を示す図である。
【図３１】携帯端末２２の構成を示すブロック図である。
【図３２】ＰＣ端末２４の構成を示すブロック図である。
【図３３】コンテンツ選択画面６００及び送信・保存・設定選択画面６０５の一例を示す図である。
【図３４】携帯端末２２ｂの構成を示すブロック図である。
【図３５】配信データ６５０のデータ構成の一例を示す図である。
【図３６】コンテンツ信頼度・閾値データのデータ構成の一例を示す図である。
【図３７】携帯端末２２ｂにて生成されるコンテンツ閾値データのデータ構成の一例を示す図である。
【図３８】コンテンツ表示不可画面６５５の一例を示す図である。
【図３９】コンテンツ表示画面６５８の一例を示す図である。
【図４０】送信処理の動作を示す流れ図である。図４１へ続く。
【図４１】送信処理の動作を示す流れ図である。図４０から続く。
【図４２】受信処理の動作を示す流れ図である。図４３へ続く。
【図４３】受信処理の動作を示す流れ図である。図４２から続き、図４４へ続く。
【図４４】受信処理の動作を示す流れ図である。図４３から続く。
【符号の説明】
【０３１１】
１    情報流通システム
１０    携帯端末
２２    携帯端末
２４    ＰＣ端末
５０    メモリカード
１０１    入力部
１０２    表示部
１０３    カメラ
１０４    スピーカ
１０５    マイク
１０６    映像制御部
１０７    コンテンツ取得部
１０８    記憶部
１１０    データ加工部
１１１    配信データ生成部
１１２    配信コンテンツ選択部
１１３    配信条件設定部
１１４    他端末情報設定部
１１５    処理選択部
１１６    配信先選択部
１１７    受信処理部
１１８    配信処理部
１１８ｂ  配信処理部
１１９    通信部
１２０    制御部
１２１    アンテナ
【図１】
0004880584.tif 000002
【図２】
0004880584.tif 000003
【図３】
0004880584.tif 000004
【図４】
0004880584.tif 000005
【図５】
0004880584.tif 000006
【図６】
0004880584.tif 000007
【図７】
0004880584.tif 000008
【図８】
0004880584.tif 000009
【図９】
0004880584.tif 000010
【図１０】
0004880584.tif 000011
【図１１】
0004880584.tif 000012
【図１２】
0004880584.tif 000013
【図１３】
0004880584.tif 000014
【図１４】
0004880584.tif 000015
【図１５】
0004880584.tif 000016
【図１６】
0004880584.tif 000017
【図１７】
0004880584.tif 000018
【図１８】
0004880584.tif 000019
【図１９】
0004880584.tif 000020
【図２０】
0004880584.tif 000021
【図２１】
0004880584.tif 000022
【図２２】
0004880584.tif 000023
【図２３】
0004880584.tif 000024
【図２４】
0004880584.tif 000025
【図２５】
0004880584.tif 000026
【図２６】
0004880584.tif 000027
【図２７】
0004880584.tif 000028
【図２８】
0004880584.tif 000029
【図２９】
0004880584.tif 000030
【図３０】
0004880584.tif 000031
【図３１】
0004880584.tif 000032
【図３２】
0004880584.tif 000033
【図３３】
0004880584.tif 000034
【図３４】
0004880584.tif 000035
【図３５】
0004880584.tif 000036
【図３６】
0004880584.tif 000037
【図３７】
0004880584.tif 000038
【図３８】
0004880584.tif 000039
【図３９】
0004880584.tif 000040
【図４０】
0004880584.tif 000041
【図４１】
0004880584.tif 000042
【図４２】
0004880584.tif 000043
【図４３】
0004880584.tif 000044
【図４４】
0004880584.tif 000045